(57)【特許請求の範囲】
【請求項１】
アンテナで受信された放送波に応じてチューナから出力されるリアルタイム放送データを受けるインタフェース部と、
前記インタフェース部により受信されたリアルタイム放送データを出力装置へ送ることにより、該出力装置に、該リアルタイム放送データの内容を映像及び音声の少なくとも一方として出力させる出力制御部と、
前記リアルタイム放送データを随時記憶装置に記憶させる記憶制御部と、
前記リアルタイム放送データに含まれる放送番組のハイライトシーンを検出し、前記記憶装置に記憶される放送データ中の該ハイライトシーンの開始時点及び終了時点の各位置情報をそれぞれ保持するハイライトシーン検出部と、
前記リアルタイム放送データに含まれるコマーシャルメッセージ(ＣＭ)を検出し、前記記憶装置に記憶される放送データ中の該ＣＭの開始時点及び終了時点の各位置情報をそれぞれ保持するＣＭ検出部と、
を備える放送受信機であって、
前記出力制御部は、
前記ＣＭ検出部によりＣＭが検出されると、前記リアルタイム放送データ中のＣＭに替え、前記ハイライトシーン検出部により保持される位置情報に基づいて前記記憶装置から読み出されたハイライトシーンを前記出力装置に出力させ、
前記記憶装置から読み出されたハイライトシーンの出力が前記ＣＭ検出部によりＣＭの終了が検出されても未だ終了していない場合には、該ハイライトシーンの出力終了後、前記ＣＭ検出部により保持される位置情報に基づいて前記記憶装置から読み出される該ＣＭ終了後からの放送データの内容を前記出力装置に出力させる、
ことを特徴とする放送受信機。
【請求項２】
前記出力制御部は、前記記憶装置から読み出された放送データの内容が前記出力装置から出力されている状態において、前記ＣＭ検出部によりリアルタイム放送データ中のＣＭの開始が検出されてから該ＣＭの終了が検出されるまでの間に、該放送データ中のＣＭが出力されない場合には、ハイライトシーンを出力することなく該放送データの内容を継続して出力させる、
ことを特徴とする請求項１に記載の放送受信機。
【請求項３】
前記ハイライトシーン検出部は、前記記憶装置に記憶された放送データ中のＣＭの開始時点から所定時間遡った部分をハイライトシーンとして検出する、
ことを特徴とする請求項１又は２に記載の放送受信機。
【請求項４】
前記リアルタイム放送データに含まれる放送番組には第１音声と第２音声とが含まれ、
前記出力制御部は、前記リアルタイム放送データの内容を前記出力装置に出力させる際には、前記第１音声及び第２音声のいずれか一方を出力させ、前記記憶装置に記憶されている放送データの内容を前記出力装置に出力させる際には、他方の音声を出力させる、
ことを特徴とする請求項１から３のいずれか１項に記載の放送受信機。
【請求項５】
前記ハイライトシーン検出部は、
検出されたハイライトシーンを複数の種類の何れかに分類する分類手段を有し、
前記各位置情報と共にこの分類された種類の情報を保持し、
前記出力制御部は、
前記ハイライトシーン検出部により保持される位置情報及び分類された種類の情報に基づいて、ユーザの好みに応じた種類のハイライトシーンを優先的に前記記憶装置から読み出し、前記出力装置に出力させる、
ことを特徴とする請求項１から４のいずれか１項に記載の放送受信機。
【請求項６】
前記ハイライトシーン検出部は、
前回のＣＭ終了の時点から今回のＣＭ開始の時点までの間に検出された複数のハイライトシーンをストーリの流れに沿って繋ぎ合わせたダイジェストを生成する手段を、
有し、
前記出力制御部は、
前記リアルタイム放送データ中の今回のＣＭに替え、前記ハイライトシーン検出部により生成されたダイジェストを前記出力装置に出力させる、
ことを特徴とする請求項１から５のいずれか１項に記載の放送受信機。
【請求項７】
前記ハイライトシーン検出部は、
検出された各ハイライトシーンに関しそれぞれ重要度を更に保持し、
前記出力制御部は、
ハイライトシーンを出力装置に出力させる場合には、そのハイライトシーンの重要度に応じた速度で出力させる、
ことを特徴とする請求項５又は６に記載の放送受信機。
【請求項８】
コンピュータが、
アンテナで受信された放送波に応じてチューナから出力されるリアルタイム放送データを受け、
受信されたリアルタイム放送データを出力装置へ送ることにより、該出力装置に、該リアルタイム放送データの内容を映像及び音声の少なくとも一方として出力させ、
前記リアルタイム放送データを随時記憶装置に記憶させ、
前記リアルタイム放送データに含まれる放送番組のハイライトシーンを検出し、
前記記憶装置に記憶される放送データ中の前記ハイライトシーンの開始時点及び終了時点の各位置情報をそれぞれ保持し、
前記リアルタイム放送データに含まれるコマーシャルメッセージ(ＣＭ)を検出し、
前記記憶装置に記憶される放送データ中の前記ＣＭの開始時点及び終了時点の各位置情報をそれぞれ保持し、
前記ＣＭが検出されると、前記リアルタイム放送データ中のＣＭに替え、前記ハイライトシーンに関し保持される位置情報に基づいて前記記憶装置から読み出されたハイライト
シーンを前記出力装置に出力させ、
前記記憶装置から読み出されたハイライトシーンの出力が前記ＣＭの終了が検出されても未だ終了していない場合には、該ハイライトシーンの出力終了後、前記ＣＭに関し保持される位置情報に基づいて前記記憶装置から読み出される該ＣＭ終了後からの放送データの内容を前記出力装置に出力させる、
ことを含む放送制御方法。
【請求項９】
コンピュータに、
アンテナで受信された放送波に応じてチューナから出力されるリアルタイム放送データを受けるステップと、
受信されたリアルタイム放送データを出力装置へ送ることにより、該出力装置に、該リアルタイム放送データの内容を映像及び音声の少なくとも一方として出力させるステップと、
前記リアルタイム放送データを随時記憶装置に記憶させるステップと、
前記リアルタイム放送データに含まれる放送番組のハイライトシーンを検出するステップと、
前記記憶装置に記憶される放送データ中の前記ハイライトシーンの開始時点及び終了時点の各位置情報をそれぞれ保持するステップと、
前記リアルタイム放送データに含まれるコマーシャルメッセージ(ＣＭ)を検出するステップと、
前記記憶装置に記憶される放送データ中の前記ＣＭの開始時点及び終了時点の各位置情報をそれぞれ保持するステップと、
前記ＣＭが検出されると、前記リアルタイム放送データ中のＣＭに替え、前記ハイライトシーンに関し保持される位置情報に基づいて前記記憶装置から読み出されたハイライトシーンを前記出力装置に出力させるステップと、
前記記憶装置から読み出されたハイライトシーンの出力が前記ＣＭの終了が検出されても未だ終了していない場合には、該ハイライトシーンの出力終了後、前記ＣＭに関し保持される位置情報に基づいて前記記憶装置から読み出される該ＣＭ終了後からの放送データの内容を前記出力装置に出力させるステップと、
を実行させるコンピュータプログラムを記録したコンピュータ読み取り可能な記録媒体。
【請求項１０】
コンピュータに、
アンテナで受信された放送波に応じてチューナから出力されるリアルタイム放送データを受けるステップと、
受信されたリアルタイム放送データを出力装置へ送ることにより、該出力装置に、該リアルタイム放送データの内容を映像及び音声の少なくとも一方として出力させるステップと、
前記リアルタイム放送データを随時記憶装置に記憶させるステップと、
前記リアルタイム放送データに含まれる放送番組のハイライトシーンを検出するステップと、
前記記憶装置に記憶される放送データ中の前記ハイライトシーンの開始時点及び終了時点の各位置情報をそれぞれ保持するステップと、
前記リアルタイム放送データに含まれるコマーシャルメッセージ(ＣＭ)を検出するステップと、
前記記憶装置に記憶される放送データ中の前記ＣＭの開始時点及び終了時点の各位置情報をそれぞれ保持するステップと、
前記ＣＭが検出されると、前記リアルタイム放送データ中のＣＭに替え、前記ハイライトシーンに関し保持される位置情報に基づいて前記記憶装置から読み出されたハイライトシーンを前記出力装置に出力させるステップと、
前記記憶装置から読み出されたハイライトシーンの出力が前記ＣＭの終了が検出されても未だ終了していない場合には、該ハイライトシーンの出力終了後、前記ＣＭに関し保持される位置情報に基づいて前記記憶装置から読み出される該ＣＭ終了後からの放送データの内容を前記出力装置に出力させるステップと、
を実行させるコンピュータプログラム。
【発明の詳細な説明】
【０００１】
【発明の属する技術分野】
本発明は、放送受信機，放送制御方法及びコンピュータ読み取り可能な記録媒体に関し、特に、放送中のＣＭ放送時間を有効に利用可能な放送受信機，放送制御方法，記録媒体，及びコンピュータプログラムに関する。
【０００２】
【従来の技術】
近年、通常の地上波によるテレビ放送に加えて、ケーブルテレビ放送、衛星を利用したＢＳ・ＣＳ衛星放送など様々な放送ネットワークが出現している。このため、視聴者の見たい番組を選択する選択肢が増えてきている。また、放送方式も現行の地上波放送のようなアナログ方式からＣＳ放送のようなデジタル方式に変わりつつある。今後、ＢＳ放送、地上波放送ともデジタル方式に変わることが決定されている。
【０００３】
このような放送のデジタル化およびハードディスクなどのランダムアクセス可能な蓄積メディアの低価格化・大容量化に伴って、今後、タイムシフト視聴と呼ばれる視聴スタイルが一般的になることが予想される。
【０００４】
タイムシフト視聴とは、受信データを一時格納するためのバッファとして論理的にリング状に構築したランダムアクセスメディアを用意し、放送受信時に受信した放送データをメディアに一旦蓄積しながら視聴することである。メディア内には常に容量分の番組データが確保されているため、そのデータにランダムにアクセスすることによって、番組視聴中の任意のタイミングでポーズ、シーク、リプレイなどのトリックプレイを実現することができる。
【０００５】
タイムシフト視聴が可能な受信機では、視聴者は見逃したシーンを繰り返して見ることが可能になる。また、番組視聴中に電話がかかって来たり、突然訪問客があったりして席を外す必要が生じた場合であっても、メディアの残り容量分の時間内であれば、視聴を一時停止し、要件が済み次第席を外した箇所から続きを見ることが可能になる。
【０００６】
特開平６-１４２７４号公報には、タイムシフト視聴可能なテレビジョン装置の技術が、また特開平７-２６４５２９号公報には、タイムシフト視聴可能な装置の技術が開示されている。
【０００７】
図３８は、タイムシフト視聴時のバッファとして利用するディスク(バッファディスクと呼ぶ)への書き込みとバッファディスクからの読み出しの各アドレス位置と再生時間との関係を示したものである。
【０００８】
放送受信機は一定のビットレートで放送データを受信するため、バッファディスクへの書き込みレートは一定である。このため、図３８に示す点線のように書き込み時の時間とアドレスの関係は直線になる。従って、書き込みレートと同じレートでバッファディスクから読み出すことで、通常速度の再生が実現される。図３８中のt０〜t２が通常速度の再生に相当する。
【０００９】
視聴者が図３８中のt２の時点で番組の最初からもう一度視聴したい場合には、アドレスa０の位置にシークして読み出しアドレスをセットする。その後、通常速度のレートで放送データが読み出されれば、視聴者は番組を最初からもう一度視聴することができる。
【００１０】
視聴者がタイムシフト視聴時に早送り再生したい場合には、通常レートよりも読み出しレートを大きくする。これは、図３８中のt２〜t３に相当する。この期間では、通常速度の再生よりも直線の傾きが大きくなる。
【００１１】
図３８中のt３〜t６は、タイムシフト状態で且つ通常速度で再生していることを表している。これは、オフセット視聴と呼ばれる。オフセット視聴では、図３８中の書き込みレートと読み出しレートの直線が平行になる。この場合、実際の放送時刻からの遅れは、t１の時刻に放送されたものをt３の時刻に視聴することになるため、t３-t１である。
【００１２】
逆転再生をサポートしている受信機の場合、逆転再生時には、図３８中のt６〜t７のようになる。読み出しアドレスから逆にデータを読み出していくため、時間が進むにつれて読み出しアドレスが小さくなっていく。直線の傾きは負の値になる。
【００１３】
再生中にあるところでポーズした場合は、図３８中のt７〜t８のように、読み出しアドレスa３の位置は変化せず、時間だけt７からt８まで変化する。その後、リアルタイム放送に追いつくには、書き込みアドレスと読み出しアドレスを同じにすればよい。図３８では、t８でリアルタイム放送に追いついている。以後はリアルタイムの放送と同じものを視聴することができる。
【００１４】
当然のことだが、まだ格納されていない未来の受信データはバッファディスクから読み出すことができないため、読み出しの時間変化を表す実線は書き込みの時間変化を表す点線よりも上になることはできない。
【００１５】
視聴者の行動として、番組視聴中に番組とは関係のないコマーシャルメッセージ(ＣＭ)の放送が始まったときなどに、他のチャネルに次々切り替えて、他に面白い番組がやっていないかどうか探すという、ザッピングと呼ばれる行動を取ることがよく知られている。そのザッピングをサポートするための技術もさまざまなものが提案されている。
【００１６】
特開平５-３１６４４０号公報は、受信放送の音声制御信号から番組中のＣＭを検出し、自動的に他のチャネル、もしくはあらかじめ登録されている特定のチャネルに切り替えることを特徴とするＴＶ受信機についての技術を開示する。さらに、当該公報は、他のチャネルに切り替えたあとも元のチャネルは受信状態を保ち、元番組のＣＭが終了した時点で元のチャネルに自動復帰する技術についても開示する。
【００１７】
ＣＭ中に他の情報を見るという点で、特開平１１-１４６２９６号公報は、ＣＭ検出時に自動的にインターネットページなどの画像情報を表示する技術を開示する。また、ＣＭの代わりに提示される情報として、インターネットページの他に、ＣＤ-ＲＯＭなどに格納された各種情報データベースからの検索結果などが例示されている。
【００１８】
映像の中のある場面をハイライトシーンとして認識するには、ハイライトであるというタグを付加しなければならない。タグは予め放送局側で放送データを送信する時にタグデータを付加することが可能であり、また受信機側でタグを付加することもできる。受信機側でのタグ付加方法には手動による手法と自動による手法がある。ハイライトシーンであるというタグをつけることで、保存した映像の検索を簡単にしたり、映像内容の把握を短時間に行うことが可能になるというメリットがある。
【００１９】
ハイライトシーンの自動検索については、様々な方法が提案されている。例えば、特開平９-６５２８７号公報は、番組中のデゾルブと呼ばれる特殊映像効果を検知して動画像を代表する場面を特定する特徴場面掲出方法についての技術を開示している。
【００２０】
【発明が解決しようとする課題】
しかし、上述した従来技術には、以下の問題があった。即ち、視聴者は通常自宅での番組視聴中にはリラックスした状態でいる。このため、電話や来客などによって強制的に番組視聴を邪魔されるような理由がない限り、わざわざタイムシフト視聴を実行しない。また、従来技術では、リアルタイム視聴している番組を途中でリプレイするきっかけを自分で指示しなければならなかった。
【００２１】
ザッピングを実行するきっかけは、
(１)現在見ている番組が終わって次にどの番組を見ようか決め兼ねている場合に色々なチャネルの番組を一通りチェックして一番面白そうなものを探すという、番組サーチを目的にした必然的で積極的な理由によるもの。
(２)単にＣＭを黙って見る時間がもったいなくて別のチャネルの番組をつまんでみたいという、ＣＭ代替を目的とした消極的理由によるもの。
(３)見ている番組がつまらなくなってきたので、もっと面白い番組をさがしてみるという、必然性はあまりないが積極的な理由によるもの。
(４)それらの組み合わせに位置するもの。
に大別することができる。
【００２２】
ザッピングは、今まで見ていた番組よりも面白い番組を他のチャネルで見つけることができた場合には有効ではある。ところが、或るチャネルでＣＭを放送している場合には、おおむね他のチャネルも同じようにＣＭを放送していることが多く、また、他のチャネルにも自分の気に入る番組が放送されていないため、結局元の番組に戻ってくることが多かった。さらに、元のチャネルに戻ると、すでにＣＭの放送は終わっていて、ＣＭ終了後の番組の先頭部分を見逃してしまうことが頻繁に発生していた。
【００２３】
また、ザッピングは、リモコン操作を何度も行う必要があるので、視聴者にとってかなりわずらわしい操作であった。また、全てのチャネルが無料ではなく、有料チャネルが含まれている場合には、闇雲にザッピングしているとその有料チャネルの番組を思わず見てしまい、余計な出費が発生する事態もあり得る。
【００２４】
自動的にＣＭを検出して他のチャネルに切り替えることを特徴とする特開平５-３１６４４０号公報の技術を使えば、ザッピング時の手動操作によるわずらわしさを解消することができる。ところが、他のチャネルも同じようにＣＭを放送していたりすることや、他に気に入る番組が放送されていないことについては解消することはできなかった。
【００２５】
ＣＭ中に他の画像情報を表示することを特徴とする特開平１１-１４６２９６号公報の技術を使えば、ＣＭを見る代わりに他の情報を見るというＣＭ代替の目的は達成できる。しかし、ＣＭの時間を利用して今まで見ていた番組のハイライトシーンをもう一度視聴したい、といった要望には応えることができない。
【００２６】
また、番組終了から次の番組開始までの間には、一般に、多数のＣＭが挿入される。また、スポットニュースや天気予報などが挿入される。しかし、ニュースや天気予報を一度見て知っている場合には、挿入されるニュースや天気予報を再び視聴することは無駄である。このため、他のチャネルにチャネルを替えるが、他のチャネルも同じようにニュースや天気予報を放送していることが多い。従って、視聴者は、番組終了から次の番組開始までの時間を有効に活用することができず、ストレスを感じることがあった。
【００２７】
本発明の目的は、視聴者がザッピングを行う必要がなく、番組中のＣＭ放送時間帯でも番組に対する関心を失わないようにすることができる放送受信機，放送制御方法，コンピュータプログラムを記録した記録媒体及びコンピュータプログラムを提供することである。
【００２８】
【課題を解決するための手段】
本発明は、上述した問題を解決するため、以下の構成を採用する。
【００２９】
即ち、本発明は、放送受信機であり、放送されている番組のハイライトシーンを検出するハイライトシーン検出部と、少なくとも番組のハイライトシーンを記憶装置に記憶させる手段と、コマーシャルメッセージ(ＣＭ)の放送を検出するＣＭ検出部と、ＣＭの放送中に記憶されたハイライトシーンを再生させる再生制御部とを備える。
【００３０】
本発明は、ＣＭ検出部がＣＭの放送開始を検出するＣＭ開始検出部を含み、ＣＭの放送が開始された場合に、ハイライトシーンの再生を開始させる構成としても良い。
【００３１】
本発明において、放送は、例えば、テレビ放送やラジオ放送を含み、本発明による放送受信機は、テレビ放送受信機や、ラジオ放送及び／又はラジオ文字放送のラジオ放送受信機等に適用することができる。
【００３２】
また、本発明において、「視聴者」は、テレビ放送を視聴する者と、ラジオ放送を聴く者(リスナー又は聴受者)とを含む。ハイライトシーンの検出は、画像認識処理及び／又は音声認識処理によって所定の検出条件を満たす部分をハイライトシーンとして検出しても良く、放送データに含まれた指標に基づいて検出しても良く、視聴者の指示に従って検出しても良い。
【００３３】
本発明によると、放送を視聴している場合に、ＣＭ放送が開始された場合には、番組のハイライトシーンを視聴することができる。このように、番組のハイライトシーンがＣＭ放送中に提供される。このため、視聴者は、従来のようなザッピングを行う必要がない。また、ＣＭの視聴やザッピングによって視聴者が他の情報を受け取ってしまうことにより、視聴していた番組に対する関心や集中力を失ってしまうことを防止することができる。
【００３４】
本発明は、記憶装置が所定時間分の放送データを随時記憶し、再生制御部は、ＣＭの放送が終了したときにハイライトシーンの再生が終了していない場合には、ハイライトシーンの再生終了後、ＣＭの放送終了直後からの放送データを再生する構成としても良い。「放送データ」は、番組に係る映像及び／又は音声のデータと、ＣＭの映像及び／又は音声のデータとを含む。
【００３５】
また、本発明は、再生制御部が放送データの再生時に次のＣＭの放送が開始された場合に、放送時刻と再生時刻との時間差が次のＣＭの放送時間を上回るときには、ハイライトシーンの再生を実行することなく放送データの再生を継続する構成としても良い。「放送時刻」は、テレビやラジオ等の放送プログラムに従った時刻を指し、「再生時刻」は、記憶装置に記憶された放送データが再生されているときの時刻(実際の時刻)を指す。
【００３６】
また、本発明は、記憶装置が所定時間分の放送データを随時記憶し、再生制御部が、ＣＭの放送が開始されたときに、前記記憶装置に記憶されたＣＭの放送開始時点から所定時間まで遡った部分をハイライトシーンとして再生する構成としても良い。
【００３７】
また、本発明は、番組は第１音声と第２音声とを含み、放送時刻に合わせた番組の提供に際して第１音声と第２音声との一方の音声を提供するとともに、ハイライトシーンの再生に際して他方の音声が提供する手段をさらに備えた構成としても良い。
【００３８】
また、本発明は、記憶装置に記憶されたハイライトシーンを複数の種類の何れかに分類する手段をさらに備え、再生制御部が、ＣＭの放送が開始された場合に、視聴者の好みに応じた種類のハイライトシーンを優先的に記憶装置から読み出して再生する構成としても良い。
【００３９】
また、本発明は、再生制御手段が、或る番組が終了してから次の番組が開始するまでの間に、ハイライトシーン，または、或る番組の複数のハイライトシーンからなるダイジェストを再生する構成としても良い。
【００４０】
本発明は、放送されている番組のハイライトシーンを検出し、少なくとも前記番組のハイライトシーンを記憶装置に記憶し、コマーシャルメッセージ(ＣＭ)の放送を検出し、ＣＭの放送中に前記記憶されたハイライトシーンを再生する
ことを含む放送制御方法として特定することもできる。
【００４１】
本発明は、コンピュータプログラム，及びこれを記録したコンピュータ読み取り可能な記録媒体として特定することもできる。本発明によるプログラムは、コンピュータに、放送されている番組のハイライトシーンを検出するステップと、少なくとも前記番組のハイライトシーンを記憶装置に記憶するステップと、コマーシャルメッセージ(ＣＭ)の放送を検出するステップと、ＣＭの放送中に前記記憶装置に記憶されたハイライトシーンを再生するステップとを実行させる。
【００４２】
【発明の実施の形態】
以下、図面を参照して本発明の実施形態を説明する。実施形態の構成は例示であり、本発明は実施形態の構成に限定されない。
【００４３】
〔第１実施形態〕
〈放送受信機のハードウェア構成〉
図１は、本発明による放送受信機(以下、単に「受信機」と表記)として機能し、本発明による放送制御方法を実現するコンピュータ１のハードウェア構成図である。コンピュータ１は、例えば、ディジタルテレビ放送受信機能を備えたパーソナルコンピュータ，ワークステーション等(いわゆるテレビパソコン)であり、テレビ放送受信機として機能する。
【００４４】
図１において、コンピュータ１は、バスＢＵＳで相互に接続されたＣＰＵ(Central Processing Unit)２，ＲＯＭ(Read Only Memory)３，ＲＡＭ(Random Access Memory)４，ハードディスク(ＨＤ)５，フロッピーディスクドライブ(ＦＤＤ)６，ＣＤ−ＲＯＭドライブ７，ディスプレイ制御装置８，通信制御装置９及び複数のインターフェイス回路(Ｉ／Ｆ)１０〜１２を備えている。
【００４５】
ＲＯＭ３は、起動用プログラムを記憶している。起動用プログラムは、コンピュータ１の電源投入時にＣＰＵ２によって実行される。これによって、ＨＤ５に記憶されているオペレーティングシステム(ＯＳ)，及び表示処理又は通信処理のための単数又は複数のドライバがＲＡＭ４にロードされ、各種の処理や制御が実行可能な状態となる。
【００４６】
ＲＡＭ４には、コンピュータ１を制御する各種のプログラムが展開され、ＣＰＵ２の作業領域として使用される。これによって、ＲＡＭ４は、プログラムによる処理結果，処理のための一時データ，ディスプレイ装置１５の画面上に処理結果等を表示するための表示用データ等を保持する。
【００４７】
ＲＡＭ４上に展開された表示用データは、ディスプレイ制御装置８を通じてディスプレイ装置１５に伝達される。ディスプレイ装置１５は、表示用データを受け取ると、その画面上に表示用データに対応する表示内容を表示する。
【００４８】
ＨＤ５は、ＣＰＵ１６の指示に従って、プログラム，制御用データ，テキストデータ，イメージデータ等を記録する記録媒体である。ＨＤ５に対するプログラムやデータの書き込み又は読み出しは、図示しないハードディスクドライブによって実行される。
【００４９】
ＦＤＤ２０は、フロッピーディスク(ＦＤ)１３に対する書き込み又は読み出しを実行するデバイスであり、ＣＰＵ２の指示に従って、プログラム，制御用データ，テキストデータ，イメージデータ等を、ＦＤ１３に対して書き込んだり読み出したりする。
【００５０】
ＣＤ−ＲＯＭドライブ７は、ＣＰＵ２の指示に従って、ＣＤ−ＲＯＭ(コンパクトディスクを用いた読み出し専用メモリ)１４に記録されているプログラムやデータを読み出すためのデバイスである。
【００５１】
ディスプレイ制御装置８には、ディスプレイ装置１５が接続されている。ディスプレイ装置１５は、陰極線管(ＣＲＴ)や液晶ディスプレイ(ＬＣＤ)等からなるモニタと音声出力のためのスピーカとを備えている。
【００５２】
ディスプレイ制御装置８は、コンピュータ１に入力された放送データ中の画像データ及び音声データをディスプレイ装置１５にて取り扱い可能な形式に復調するデコーダ８ａ(図２参照)を含んでいる。コンピュータ１に入力された放送データ中の画像データ及び音声データは、ディスプレイ制御装置８にて復調されるとともに必要な画像表示制御処理又は音声出力制御処理が施された後、ディスプレイ装置１５に供給される。
【００５３】
通信制御装置９には、図示せぬネットワークに接続された通信線が接続されている。通信制御装置９は、ＣＰＵ２の指示に従って、他のコンピュータとの間で、プログラムやデータの送受信(アップロード及びダウンロードを含む)を実行する。
【００５４】
Ｉ／Ｆ１０には、キーボード(ＫＢＤ)１６が接続されている。ＫＢＤ１６は、複数のキー(文字入力キー，カーソルキー等)を備えており、オペレータがコンピュータ１に命令やデータを入力するために使用される。
【００５５】
Ｉ／Ｆ１１には、マウス１７，或いは、トラックボール，フラットスペース，ジョイスティック等のポインティングデバイスが接続されている。マウス１７は、ディスプレイ装置１５のモニタに表示されたカーソルを用いて選択指示を入力するために使用される。
【００５６】
Ｉ／Ｆ１２には、ディジタルテレビ放送受信用のチューナ１８が接続されている。チューナ１８は、ＣＳ等のディジタルテレビ放送の電波を受信するアンテナ１９と接続されており、電波を画像データ及び音声データを含むディジタル信号に変換し、Ｉ／Ｆ１２に入力する。Ｉ／Ｆ１２は、チューナ１２から入力されたディジタル信号をコンピュータ１にて取り扱い可能な形式に変換し、バスＢＵＳ側に出力する。
【００５７】
ＣＰＵ２は、ＲＯＭ３，ＨＤ５，ＦＤ１３及びＣＤ−ＲＯＭ１４(これらが本発明の記録媒体に相当する)に記憶された各種のプログラムを実行する。これによって、コンピュータ１は、本発明による受信機として機能する。なお、ＨＤ５等の記録媒体に保持されるプログラムやデータは、オペレータがマニュアルで記録媒体に記録するようにしても良く、コンピュータ１が他のコンピュータからプログラムやデータをダウンロードして記録媒体に記録するようにしても良い。
【００５８】
なお、図１の構成に代えて、コンピュータ１がチューナ１８を内蔵しているようにしても良い。また、デコーダがコンピュータ１の外部に設けられていても良い。
【００５９】
なお、ＣＰＵ２が、本発明のハイライトシーン検出部，ハイライトシーンを記憶装置に記憶させる手段，ＣＭ検出部及びＣＭ開始検出部，再生制御部を実現し、ＨＤ５(バッファディスク２１)が本発明の記憶装置に相当する。
【００６０】
〈放送受信機の機能ブロック〉
図２は、第１実施形態による受信機の機能ブロック図である。図１に示したコンピュータ１は、ＣＰＵ２がプログラムを実行することによって、図２に示すように、チューナ１８と、ディスプレイ制御装置８に含まれたデコーダ８ａとに接続された受信機２０として機能する。
【００６１】
チューナ１８は、アンテナ１９にて受信した放送電波を受信し、放送電波に含まれた画像データ及び音声データを受信機２０に入力する。デコーダ８ａは、放送電波に含まれた画像データ及び音声データを復調し、ディスプレイ装置１５に与える。
【００６２】
すると、ディスプレイ装置１５のモニタに画像データに基づく画像(映像)が表示されるととともに、スピーカから音声データに基づく音声が出力される。これによって、視聴者に対してテレビ放送の番組が提供される。
【００６３】
受信機２０は、バッファディスク２１と、ハイライトシーン分析部２２(以下、「分析部２２」と表記：ハイライトシーン検出部に相当)と、ＣＭ開始検知部２３(ＣＭ検出部，ＣＭ開始検出部に相当)と、ＣＭ終了検知部２４(ＣＭ検出部に相当)と、ハイライトインデックス記憶部２５(ハイライトシーンを記憶装置に記憶させる手段に相当)と、ＣＭインデックス記憶部２６と、再生マネジメント部２７(再生制御部に相当)と、スイッチ２８とを備えている。分析部２２，ＣＭ開始検知部２３，ＣＭ終了検知部２４，再生マネジメント部２７は、ＣＰＵ２がプログラムを実行することによって実現する機能である。
【００６４】
バッファディスク２１は、チューナ１８から出力された放送データを所定の時間分だけ一時的に記憶しておくためのリングバッファである。バッファディスク２１は、最後尾アドレスまで放送データを記憶すると、次のアドレスが先頭アドレスに戻るようになっており、チューナ１８及び受信機２０が起動している間、選択されているチャンネルの放送データを随時記録する。
【００６５】
この例では、バッファディスク２１は、ハードディスクを用いて構成されている。但し、ランダムアクセス可能なメディアであれば良く、例えばＲＡＭディスクを使用しても良い。
【００６６】
分析部２２は、チューナ１８からバッファディスク２１へ格納される放送データを取得し、放送データを分析することで放送番組のハイライトシーンを検出し、検出したハイライトシーンに対応するインデックス情報をハイライトインデックス記憶部２５に格納する。
【００６７】
分析部２２は、予め設定されたハイライトシーンの検出開始条件及び検出終了条件に従って、放送データに含まれた画像データ及び音声データを用いてハイライトシーンを検出する。即ち、分析部２２は、画像認識処理，音声認識処理及びこれらの組み合わせの結果、検出開始条件に合致する部分から検出終了条件に合致する部分までをハイライトシーンとして検出する。
【００６８】
例えば、分析部２２は、画像中の前後フレームとの差分を取って、その絶対値が所定の閾値より大きく、且つ画像に対応した音声のレベルが所定の閾値よりも大きいことを検出開始条件とし、この条件を満たす箇所から検出終了条件を満たす箇所までをハイライトシーンとして検出する。
【００６９】
また、分析部２２は、画面の支配色の変化を検知して映っているものの変化を検知したり、輝度の変化を利用してハイライトシーンを検出する。或いは、分析部２２は、画像認識と音声認識とを組み合わせ、ある特定のキーワード(主人公の名前など)を認識したところをハイライトシーンとして検出する。
【００７０】
そして、分析部２２は、ハイライトシーンの開始時刻及び終了時刻と、そのハイライトシーンのバッファディスク２１におけるアドレス(開始アドレス及び終了アドレス)と、ハイライトシーンの長さとを検出し、これらのデータをインデックス情報としてハイライトインデックス記憶部２５に格納する。
【００７１】
図３は、図２に示したハイライトインデックス記憶部２５の説明図である。図３に示すように、ハイライトインデックス記憶部２５は、ハイライトシーンのインデックス情報(開始時刻，開始アドレス，終了時刻，終了アドレス及び長さ)を、ハイライトシーン毎に記録したテーブルであり、ＲＡＭ４上に作成される。
【００７２】
図２に戻って、ＣＭ開始検知部２３は、バッファディスク２１に格納される放送データ中の音声モードがモノラルからステレオに変化した時点をＣＭ開始時点と判定することによって、放送中のＣＭの開始を検知する。ＣＭ開始検知部２３は、ＣＭ開始を検知した場合には、その開始時刻と、その開始時刻に対応する放送データのバッファディスク２１におけるアドレス(開始アドレス)を取得し、ＣＭインデックス記憶部２６に格納する。
【００７３】
ＣＭ終了検知部２４は、バッファディスク２１に格納される放送データ中の音声モードがステレオからモノラルに変化した時点をＣＭ終了時点と判定することによって、放送中のＣＭの終了を検知する。ＣＭ終了検知部２４は、ＣＭ終了を検知した場合には、その終了時刻と、その終了時刻に対応する放送データのバッファディスク２１におけるアドレス(終了アドレス)を取得し、ＣＭインデックス記憶部２６に格納する。
【００７４】
但し、ＣＭ開始検知部２３及びＣＭ終了検知部２４によるＣＭ開始又はＣＭ終了の検知方法として、分析部２２と同様の手法によってシーンの切れ目から検知したり、ＣＭのボリュームレベルが放送のボリュームレベルよりも大きいことを利用して検知したりしても良い。
【００７５】
図４は、図２に示したＣＭインデックス記憶部２６の説明図である。図４に示すように、ＣＭインデックス記憶部２５は、ＣＭのインデックス情報(開始時刻，開始アドレス，終了時刻，終了アドレス及び長さ)を、ＣＭ放送帯毎に記録したテーブルであり、ＲＡＭ４上に作成される。
【００７６】
図２に戻って、再生マネジメント部２７は、ＣＭインデックス情報とハイライトインデックス情報とに基づいて、バッファディスク２１に保持された放送データの再生を管理する。
【００７７】
即ち、再生マネジメント部２７は、ハイライトインデックス記憶部２５及びＣＭインデックス記憶部２６に記憶されたハイライトインデックス情報とＣＭインデックス情報とを管理し、ＣＭ放送が開始された時点でハイライトインデックス記憶部２５から適当なハイライトシーンのインデックス情報を検出し、検出したインデックス情報に書かれている開始アドレスにバッファディスク２１の読み出しアドレスをセットする。
【００７８】
スイッチ２８は、再生マネジメント部２７の制御によって、チューナ１８から入力される放送データとバッファディスク２１から供給されるタイムシフトされた放送データとを切り替える。
【００７９】
スイッチ２８の一端は、デコーダ８ａに接続されており、デコーダ８ａには、チューナ１８からの放送データと、バッファディスク２１からの放送データとの一方が入力される。デコーダ８ａは、入力された放送データを復調し、その復調結果は、ディスプレイ装置１５から出力される。スイッチ２８は、物理的なものに限らず概念的なものでもよく、ソフトウェアで実現する場合には、内部での条件判断で行ってもよい。即ち、機械的スイッチであっても電子スイッチであっても良い。
【００８０】
再生マネジメント部２７は、以下の手順で再生のマネジメントを行う。即ち、再生マネジメント部２７は、ＣＭ開始検知部２３でＣＭ放送の開始を検知した時点で、ハイライトインデックス記憶部２５から適宜のインデックス情報を検出する。続いて、再生マネジメント部２７は、バッファディスク２１のデータ読み出し位置に、そのインデックスの開始アドレスを設定するとともに、スイッチ２８をバッファディスク２１側に切り替える。
【００８１】
その後、再生マネジメント部２７は、ＣＭ放送の終了を検知するまでバッファディスク２１から放送データを読み出してデコーダ８ａに供給し、ＣＭ放送が終了した時点でスイッチ２８をチューナ８ａ側に切り替える。これによって、ＣＭが放送されている間、バッファディスク２１に記録された放送データ中のハイライトシーン部分がデコーダ８ａに供給される。
【００８２】
図５〜図８は、第１実施形態による受信機２０の動作を示すフローチャートである。図５は、受信機２０による放送データ受信時の動作を示すフローチャートである。図６は、図５に示したハイライト分析処理のフローチャートである。図７(Ａ)は、図５に示したＣＭ開始インデックス格納処理のフローチャートであり、図７(Ｂ)は、図５に示したＣＭ終了インデックス格納処理のフローチャートである。図８は、図５に示したハイライト選択処理を示すフローチャートである。
【００８３】
図５のフローチャートは、視聴者がディスプレイ装置１５から出力される放送番組を視聴するために、チューナ１８，受信機２０，デコーダ８ａ及びディスプレイ装置１５を電源投入によって起動させることで開始する。
【００８４】
図５において、Ｓ０１では、ＣＭ開始検知処理が実行される。即ち、ＣＭ開始検知部２３が、チューナ１８からの放送データを監視し、ＣＭ放送が開始した否かを判定する(Ｓ０２)。このとき、ＣＭ放送が開始した場合には、動作がＳ０６へ進み、ＣＭ放送が開始していない場合には、番組が放送されているものとして、動作がＳ０３へ進む。
【００８５】
Ｓ０３では、ハイライト分析処理のサブルーチンが実行される。即ち、図６に示すように、分析部２２が、チューナ１８からの放送データを分析し(Ｓ０３１)、ハイライトシーンの開始か否かを判定する(Ｓ０３２)。このとき、分析部２２は、ハイライトシーンの開始と判定した場合(Ｓ０３２；Ｙ)には、ハイライトシーンの開始時刻をハイライトインデックス記憶部２５に格納し(Ｓ０３３)、その開始時刻に対応する放送データのバッファディスク２１における記録位置(開始アドレス)をハイライトインデックス記憶部２５に格納した後、ハイライト分析処理を終了する。その後、動作が図５のＳ０４に進む。
【００８６】
一方、Ｓ０３２において、分析部２２は、ハイライトシーンの開始と判定しなかった場合(Ｓ０３２；Ｎ)には、ハイライトシーンの終了か否かを判定し(Ｓ０３５)、ハイライトシーンの終了でないと判定した場合(Ｓ０３５；Ｎ)には、ハイライト分析処理が終了し、動作が図５のＳ０４へ戻る。
【００８７】
これに対し、分析部２２は、ハイライトシーンの終了と判定した場合(Ｓ０３５；Ｙ)には、ハイライトシーンの終了時刻をハイライトインデックス記憶部２５に格納し(Ｓ０３６)、その終了時刻に対応する放送データのバッファディスク２１での記録位置(終了アドレス)と、ハイライトシーンの長さとをハイライトインデックス記憶部２５に格納する(Ｓ０３７)。その後、ハイライト分析処理が終了し、動作が図５のＳ０４に進む。
【００８８】
Ｓ０４では、視聴者の番組視聴，即ち、視聴者に放送番組の提供処理が行われる。具体的には、チューナ１８からの放送データがデコーダ８ａに供給され、デコーダによって放送データに含まれた画像データ及び音声データが復調され、復調された画像データ及び音声データに対応する画像(映像)及び音声がディスプレイ装置１５から出力される。その後、動作がＳ０５に進む。
【００８９】
Ｓ０５では、視聴者が放送番組の視聴を終了したか否か、即ち、受信機２０による処理を終了させる操作(例えば、コンピュータ１(受信機２０)の電源停止、受信機２０を実現するアプリケーションプログラムの終了)が実行されたか否かを判定する。このとき、終了操作が実行された場合には、図５に示す動作が終了する。これに対し、終了操作が実行されなかった場合には、動作がＳ０１に戻る。
【００９０】
一方、Ｓ０６では、Ｓ０２にてＣＭ放送の開始と判定されることによって、ＣＭ開始インデックス格納処理のサブルーチンが実行される。即ち、図７(Ａ)に示すように、ＣＭ開始検知部２３が、ＣＭ放送の開始時刻を検出してＣＭインデックス記憶部２６に格納し(Ｓ０６１)、その開始時刻に対応する放送データのバッファディスク２１での記録位置(開始アドレス)をＣＭインデックス記憶部２６に格納する(Ｓ０６２)。その後、ＣＭ開始インデックス格納処理が終了し、動作が図５のＳ０７へ進む。
【００９１】
Ｓ０７では、ＣＭ終了検知処理が実行される。即ち、ＣＭ終了検知部２４が、放送データを監視して、ＣＭ放送が終了したか否かを判定する(Ｓ０８)。このとき、ＣＭ終了検知部２４がＣＭ放送が終了したと判定した場合(Ｓ０８；Ｙ)には、動作がＳ１４に進み、ＣＭ放送が終了していないと判定した場合(Ｓ０８；Ｎ)には、動作がＳ０９に進む。
【００９２】
Ｓ０９では、再生マネジメント部２７が、視聴者がハイライトシーンを視聴しているか否かを判定する。即ち、現時点で、バッファディスク２１に記録された放送データをデコーダ８ａに供給しているか否かを判定する。このとき、ハイライトシーンが視聴されている場合(Ｓ０９；Ｙ)には、動作がＳ１２へ進み、ハイライトシーンが視聴されていない場合(Ｓ０９；Ｎ)には、動作がＳ１０へ進む。
【００９３】
Ｓ１０では、ハイライト選択処理のサブルーチンが実行される。即ち、図８に示すように、再生マネジメント部２７は、ハイライトインデックス記憶部２５に格納されているインデックス情報の中から適切なインデックス情報を選択する(Ｓ１０１)。ここでは、例として、開始時刻が古い順にインデックス情報が選択される。但し、任意の条件に従ってハイライトシーンのインデックス情報が選択されるようにしても良い。
【００９４】
その後、再生マネジメント部２７は、選択したインデックス情報中の開始アドレスにバッファディスク２１の読み出しヘッドをシークする(Ｓ１０２)。これによって、ハイライトシーンの開始アドレスから再生が開始される状態となる。その後、ハイライト選択処理が終了し、動作が図５のＳ１１へ進む。
【００９５】
Ｓ１１では、再生マネジメント部２７が、スイッチ２８を、チューナ１８側からバッファディスク２１側へ切り替える。これによって、ハイライトシーンの開始アドレスから順次読み出された放送データがデコーダ８ａに供給される。その後、動作がＳ１２へ進む。
【００９６】
Ｓ１２では、デコーダ８ａによって復調された放送データに基づく映像及び音声がディスプレイ装置１５から出力される。これによって、視聴者は、バッファディスク２１に記録されたハイライトシーンを視聴することができる。その後、動作がＳ１３へ進む。
【００９７】
Ｓ１３では、上述したＳ０５と同様に、視聴者が番組の視聴を止めたか否かが判定され、止めた場合には、図５の動作が終了し、止めていない場合には、動作がＳ０７に戻る。
【００９８】
一方、Ｓ０８にてＣＭが終了したと判定され、Ｓ１４に動作が進んだ場合には、ＣＭ終了インデックス格納処理が実行される。即ち、図７(Ｂ)に示すように、ＣＭ終了検知部２４が、ＣＭ放送の終了時刻をＣＭインデックス記憶部２６に格納し(Ｓ０６３)、その終了時刻に対応する放送データのバッファディスク２１における格納位置(終了アドレス)と、ＣＭ放送の長さとをＣＭインデックス記憶部２６に格納する(Ｓ０６４)。すると、ＣＭ終了インデックス格納処理が終了し、動作が図５のＳ１５に進む。
【００９９】
Ｓ１５では、再生マネジメント部２７が、スイッチ２８をバッファディスク２１側からチューナ１８側へ切り替える。これによって、チューナ１８からの放送データがデコーダ８ａに供給される状態となり、視聴者は、番組をリアルタイムで視聴する状態(番組視聴モード)となる。その後、動作が、上記したＳ０３へ進む。
【０１００】
なお、図５のフローチャートは、ハイライト分析処理(Ｓ０３)を行った後、番組視聴(Ｓ０４)が行われる順序となっているが、Ｓ０３とＳ０４の順序は逆でも良い。
【０１０１】
また、Ｓ１１の処理(スイッチ２８の切り替え処理)は、ＣＭ放送の開始を検知してから実際にハイライトシーンに対応するデータを処理し始めるまでの間であればどこで行ってもよい。また、既にスイッチ２８が切り替わっている場合には、何もしなくてよい。
【０１０２】
図９は、第１実施形態の受信機２０でのバッファディスク２１への書き込みアドレスと読み出しアドレスとの関係を示した図である。図９には、ＣＭの開始時刻になると、ハイライトシーンの開始時刻に対応する開始アドレスがシークされ、ＣＭ放送の終了時刻になると、受信放送の位置(開始アドレスがシークされる前のアドレス)に戻ることが示されている。
【０１０３】
図９において、ＣＭ１は、ハイライトシーンの長さがＣＭ放送時間帯よりも長い場合を示している。この場合、ＣＭ終了とともにリアルタイム視聴の位置に復帰している。
【０１０４】
ＣＭ２は、一つのＣＭ放送時間帯中に２つのハイライトシーンを挿入する例を示している。ハイライトシーンは開始時刻の古い順に再生されている。このように、ＣＭ放送中に或るハイライトシーンの再生が終了すると、ＣＭ放送の終了が検知されるまで、他のハイライトシーンが選択・再生される。
【０１０５】
第１実施形態による受信機２０によると、受信機２０を通じて視聴者に提供される放送番組のデータ(放送データ)は、一定時間分だけバッファディスク２１に蓄積される。このバッファディスク２１に蓄積される放送データの中からハイライトシーンが検出され、検出されたハイライトシーンのバッファディスク２１における開始アドレスと終了アドレスとが保持される。
【０１０６】
その後、視聴者が番組をリアルタイムで視聴している場合(番組視聴モード)において、ＣＭ放送が開始されると、開始アドレス及び終了アドレスに基づいてバッファディスク２１内のハイライトシーンの放送データが読み出され再生されることで、この放送データに基づく映像及び音声が視聴者に提供される(ハイライト視聴モード)。そして、ＣＭ放送の終了が検知されるまで、単数又は複数のハイライトシーンが視聴者に提供される。
【０１０７】
その後、ＣＭ放送の終了が検知されると、チューナ１８からの放送データに基づく映像及び音声が視聴者に提供される。即ち、モードが番組視聴モードに戻り、視聴者は、番組をリアルタイムで視聴する。
【０１０８】
従って、視聴者は、ＣＭが放送されている間(番組中のＣＭ放送時間帯，または番組間のＣＭ放送時間帯)において、バッファディスク２１に記録されたハイライトシーンを視聴することができる。
【０１０９】
第１実施形態によれば、ＣＭが開始された時点で自動的に今まで見ていた番組のハイライトシーンをもう一度視聴することができるようになり、ＣＭ時間中に行うザッピングなどの無駄な動作を行う必要がない。また、番組のハイライトシーンが再生されることで、視聴者が番組に対する関心や集中力を失ってしまうことを防止できるので、従来よりも番組視聴をより楽しむことが可能になる。また、自動的にハイライトシーンが再生されるので、視聴者によるリプレイ指定の面倒さから解放される。
【０１１０】
〔第２実施形態〕
図１０は、本発明の第２実施形態による受信機２０Ａの機能ブロック図である。第２実施形態は、第１実施形態で説明したハードウェア構成(図３８参照)で実現することができ、図１０の機能ブロックも、第１実施形態のハイライトシーン分析部２２に代えてハイライトタグ分析部２２Ａ(以下、「分析部２２Ａ」と表記)が設けられている点を除き、第１実施形態とほぼ同様である。
【０１１１】
分析部２２Ａは、あらかじめ放送データ中に挿入されているハイライトシーンに対応したタグ情報(指標に相当)を解釈する。即ち、放送局がデータのユーザ領域に特殊なタグ情報を挿入して送信し、ハイライトタグ分析部２２Ａが受信された放送データ中から挿入されたタグを解釈することで、放送局側で指定されたハイライトシーンの開始、終了位置を知ることができる。
【０１１２】
ハイライトインデックスは、タグの解釈によるハイライトシーンを時間順に整理したもので、ハイライトインデックス記憶部２５のデータ構造は、第１実施形態と同じである。
【０１１３】
第２実施形態による受信機２０Ａの動作は、第１実施形態(図５参照)とほぼ同様であるが、分析部２２Ａによるハイライト分析処理(Ｓ０３)の内容が異なる。即ち、第２実施形態では、図６に示したフローチャートの動作に代えて、図１１に示す第２実施形態によるハイライト分析処理に従った動作が実行される。
【０１１４】
図１１において、Ｓ２０１では、分析部２２Ａは、ハイライトタグ解析処理を実行し、放送データ中にハイライトシーンを示すタグが含まれているか否かを解析判断する(Ｓ２０２)。
【０１１５】
このとき、分析部２２Ａは、解析した結果、ハイライトシーンの開始を示すタグを検出した場合(Ｓ２０２；Ｙ)には、タグに対応するハイライトシーンの開始時刻とその時刻に対応するバッファディスク２１上の位置(開始アドレス)をハイライトインデックスとしてハイライトインデックス記憶部２５に格納する(Ｓ２０３,Ｓ２０４)。
【０１１６】
また、分析部２２Ａは、ハイライトシーンの終了を示すタグを検出した場合(Ｓ２０５；Ｙ)には、タグに対応するハイライトシーンの終了時刻とその時点に対応するバッファディスク２１上の位置(終了アドレス)を、ハイライトインデックス記憶部２５の該当する位置に書き込む(Ｓ２０６,Ｓ２０７)。
【０１１７】
その後、第１実施形態と同様に、ＣＭ放送が開始されると、再生マネジメント部２７が、ハイライトシーンインデックスに従って、バッファディスク２１に記録されたハイライトシーンをＣＭ放送に代えて視聴者に提供する。
【０１１８】
第２実施形態によれば、あらかじめ放送局側で番組中のデータにハイライトシーンであることを示す指標としてのタグ情報を多重化して放送するようにし、受信機２０Ａ側で、タグ情報を解釈し、タグ情報で示されたハイライトシーンを検出し、ＣＭ放送時にハイライトシーンを再生する。
【０１１９】
これによって、第１実施形態と同様に、ＣＭが開始された時点で自動的に今まで見ていた番組のハイライトシーンを視聴することができる。さらに、受信機２０Ａ側で画像認識処理や音声認識に処理等によってハイライトシーンの検出する必要がなく、放送局側で意図されたハイライトシーンが視聴者に提供されることで、視聴者は、番組視聴を楽しむことが可能になる。
【０１２０】
〔第３実施形態〕
図１２は、本発明の第３実施形態による受信機２０Ｂの機能ブロック図である。第３実施形態は、第１実施形態で説明したハードウェア構成(図３８参照)で実現することができる。図１２の機能ブロックは、第１実施形態のハイライトシーン分析部２２に代えてリプレイ対象自動判断部２２Ｂ(以下、「判断部２２Ｂ」と表記)が設けられ、ハイライトインデックス記憶部２５に代えてリプレイ対象インデックス記憶部２５Ｂが設けられ、さらに、入力デバイス３１が設けられている点を除き、第１実施形態とほぼ同様である。
【０１２１】
入力デバイス３１は、図３８に示したキーボード１６やマウス１７を用いて構成することができる。また、入力デバイス３１は、リモートコントローラ(リモコン)３２を用いて構成することもできる。或いは、入力デバイス３１は、音声で受信機２０Ｂに指示を与えるためのマイク及び音声認識装置から構成することもできる。
【０１２２】
第３実施形態では、入力デバイス３１として、リモコン３２が用いられている。図１３は、リモコン３２の例を示す図である。リモコン３２は、従来のテレビ用のリモコンに、リプレイ対象を指定するために専ら使用される指定ボタン(「あとからリプレイ」ボタン)３３を備えている。視聴者は、番組の視聴中にもう一度みたい場面(視聴者がハイライトシーンと判断する場面)があった時、この指定ボタン３３を押すと、その後のＣＭ放送時間中に、指定したリプレイ対象(ハイライトシーン)に対応する場面を視聴することができる。
【０１２３】
判断部２２Ｂは、視聴者が入力デバイス３１を用いて(指定ボタン３３を押すことで)リプレイ対象を指定した場合に、その指定に従ってリプレイ対象を自動的に判断する。
【０１２４】
例えば、判断部２２Ｂは、指定を受けた時刻から所定時間遡った時刻に対応する位置から指定を受けた時刻に対応する位置までをリプレイ対象とする。或いは、判断部２２Ｂは、指定された時刻を中心としてその前後の所定時間をリプレイ対象とすることもできる。また、リプレイ対象の長さは、固定長でも良いが、視聴者が入力デバイス３１を操作することによって変更することができるようにしても良い。
【０１２５】
そして、判断部２２Ｂは、リプレイ対象の開始時刻，その開始アドレス，リプレイ対象の終了時刻，その終了アドレスを求め、これらをリプレイ位置インデックス記憶部２５Ｂに格納する。
【０１２６】
リプレイ位置インデックス記憶部２５Ｂは、判断部２２Ｂにて求められたリプレイ対象の開始時刻，開始アドレス，終了時刻，終了アドレスを、リプレイ対象毎にテーブル化して記憶する。リプレイ位置インデックス記憶部２５Ｂのデータ構造は、図３に示したハイライトインデックス記憶部２５と同じである。
【０１２７】
第３実施形態による受信機２０Ｂの動作は、第１実施形態(図５参照)とほぼ同様であるが、判断部２２Ｂによるハイライト分析処理(Ｓ０３)の内容が異なる。即ち、第３実施形態では、図６に示したフローチャートの動作に代えて、図１４に示す第３実施形態によるハイライト分析処理に従った動作が実行される。
【０１２８】
放送受信時において、視聴者からのリプレイ対象の指定が入力デバイス３１によって受信機２０Ｂに入力されると(Ｓ３０１；Ｙ)、判断部２２Ｂは、指定を受けた受けた時刻に基づいてリプレイ対象を自動的に判断する(Ｓ３０２)。
【０１２９】
続いて、判断部２２Ｂは、リプレイ対象の開始時刻及び終了時刻をリプレイ対象インデックス記憶部２５Ｂに格納し(Ｓ３０３)、リプレイ対象のバッファディスク２１における開始アドレス及び終了アドレスをリプレイ対象インデックス記憶部２５Ｂに格納する(Ｓ３０４)。
【０１３０】
その後の動作は、第１実施形態とほぼ同様であり、ＣＭ放送の開始が検出された場合には、再生マネジメント部２７が、適宜のリプレイ対象インデックスをリプレイ対象インデックス記憶部２５Ｂから読み出し、このインデックスに対応する放送データをバッファディスク２１から読み出してデコーダ８ａに供給する。これによって、ＣＭ放送時間帯では、ＣＭ放送に代えて、視聴者によって指定されたリプレイ対象(ハイライトシーン)に対応する映像及び音声が視聴者に提供される。
【０１３１】
第３実施形態によれば、第１実施形態と同様に、ＣＭ放送時間にハイライトシーンが再生されるので、ＣＭ視聴時の問題点とザッピングの問題点を同時に解決できる。さらに、ハイライトシーンとして、視聴者が望むリプレイ対象を登録するので、視聴者が番組視聴の楽しみをより深めることができる。
【０１３２】
〔第４実施形態〕
次に、本発明の第４実施形態を説明する。第４実施形態は、以下の問題に鑑みた構成を有している。
【０１３３】
第１〜第３実施形態では、ハイライトシーンの長さがＣＭの長さよりも長かった場合には、ＣＭ終了が検知された時点でハイライトシーンの再生が自動的に終了し番組視聴モードに戻ってしまう。このため、ハイライトシーンを続けてみたいという視聴者の要求に応えることができない。
【０１３４】
第４実施形態のハードウェア構成及び機能ブロックは、上述した第１実施形態と同様である(図１及び図２参照)ので、その説明を省略する。但し、第４実施形態は、第１実施形態と動作が異なる。
【０１３５】
図１５は、第４実施形態による受信機２０の動作を示すフローチャートである。第４実施形態の動作は、第１実施形態の動作(図５参照)と以下の点で異なる。(１)ＣＭ放送の終了の条件判断(Ｓ０８)とハイライト視聴中の条件判断(Ｓ０９)が前後している(Ｓ４０８,Ｓ４０９参照)。
(２)ＣＭ放送の終了が検出された時(Ｓ４０９；Ｙ)にＣＭ終了位置のアドレスにシークして(Ｓ４１５)オフセット視聴モードに移行する(Ｓ４０４)。
【０１３６】
即ち、第１実施形態では、ＣＭ放送の終了が検知された時点で、すぐに番組視聴モードに移行する(図５のＳ０４)。これに対し、第４実施形態では、ＣＭ放送中に再生されているハイライトシーンの再生が終了するまで番組視聴モードに移行しない。
【０１３７】
このため、ＣＭ放送時間帯に再生されるハイライトシーンがＣＭ放送時間帯より長い場合において、ハイライトシーンの視聴後にＣＭ放送の終了位置に復帰すると、番組視聴モード(リアルタイム視聴)から一定時間だけ遅れたオフセット視聴モードになる。
【０１３８】
図１６は、第４実施形態の受信機２０におけるバッファディスク２１への書き込みアドレスと読み出しアドレスとの関係を示した図である。図１６において、ＣＭの開始時刻になると、ハイライトシーンの開始アドレスがシークされ、ハイライトシーンが再生される。
【０１３９】
その後、ＣＭ放送の終了時刻になってもハイライトシーンの再生が終了していない場合、そのハイライトシーンが終了してからＣＭ終了位置に復帰している。その後、次のＣＭ放送の開始が検知されるまで、オフセット視聴モードが継続する。このことは、図１６中のＣＭ１とＣＭ２の間に示されており、リアルタイム視聴よりも時間が遅れていることがわかる。
【０１４０】
また、オフセット視聴モード中にＣＭ放送の開始が検知された場合には、番組視聴モードと同様に、ハイライトシーンがシークされ、ハイライトシーンが終了した時点で、ＣＭ終了位置に復帰する。このことは、図１６中のＣＭ２に関する部分で表されている。
【０１４１】
第４実施形態によると、ＣＭ終了時にすぐに元の本放送に復帰せずに、タイムシフト視聴のオフセット視聴の原理を使って、ハイライトシーンが終了した後に本放送のＣＭ終了位置から再生を開始する。これによって、ハイライトシーンが長かった場合でもストレスなく番組視聴を続けることが可能になる。
【０１４２】
〔第５実施形態〕
次に、本発明の第５実施形態を説明する。第５実施形態は、以下の問題に鑑みた構成を有している。
【０１４３】
映画のテレビ放送番組などでは、ストーリ展開を視聴者にはっきりと認識させるために、番組開始からしばらくＣＭを挿入しないようにしている。ところが、ＣＭを放送しなければならない時間は契約上決まっているので、番組後半に集中的にＣＭが放送されることになる。このため、後半の盛り上がってきたところでやたらとＣＭが放送されることになり、映画をテレビで鑑賞する場合にストレスを感じることが多かった。
【０１４４】
第５実施形態のハードウェア構成及び機能ブロックは、第１実施形態と同様である(図１及び図２参照)ので説明を省略する。また、第５実施形態は、第４実施形態と同様に、ハイライトシーンの再生中にＣＭ放送が終了した場合には、ハイライトシーンの再生が終了した後、オフセット視聴が開始される(図１５参照)。
【０１４５】
但し、第５実施形態では、第４実施形態と異なり、ＣＭ放送中に視聴者に提供されるハイライトシーンの再生時間をＣＭ放送時間よりも常に長く取る。すると、番組の後半に挿入されるＣＭ放送時間帯では、リアルタイム視聴とオフセット視聴との時間差(テレビ放送の放送時刻と再生時刻との時間差)がＣＭ放送時間よりも大きくなる。従って、視聴者は、ＣＭ放送が完全にカットされた状態で番組を視聴することができる。
【０１４６】
図１７は、第５実施形態による受信機２０でのバッファディスク２１への書き込みアドレスと読み出しアドレスとの関係を示した図である。図１７において、ＣＭ放送の開始時刻になると、ハイライトシーンの開始アドレスがシークされ、ハイライトシーンの再生が終了した時点で、ＣＭ放送の終了位置に復帰する。
【０１４７】
この例では、番組の前半で挿入されるＣＭ放送中に再生されるハイライトシーンの再生時間帯を少し長めに設定している。このため、番組の後半で挿入されるＣＭ放送時間帯では、リアルタイム視聴とオフセット視聴との時間差が開いてくる。従って、番組の後半でのＣＭの放送時間帯では、ハイライトシーンを再生しなくてもＣＭ視聴をカットできることが図１７中のＣＭ３、ＣＭ４の部分で表されている。
【０１４８】
第５実施形態によれば、番組前半のＣＭ時間にハイライトシーンを常に長めにとるようにし、番組後半のＣＭ時間にはハイライトシーンを挿入しないようにされる。これによって、番組後半に行くに従って本放送と実際に視聴している場面の時間差が大きくなってくるが、その時間を番組後半のＣＭの時間に割り当ててＣＭカットのために使用することができる。
【０１４９】
従って、視聴者がテレビで映画やテレビドラマ等のストーリ性を有する番組を見ている場合には、番組後半に頻繁に挿入されるＣＭから解放され、番組のクライマックスをＣＭにさえぎられることなく視聴することができ、番組の視聴に対する満足感を高めることができる。
【０１５０】
〔第６実施形態〕
次に、本発明の第６実施形態について説明する。第６実施形態のハードウェア構成及び機能ブロックは、第１実施形態と同様である(図１及び図２参照)ので、説明を省略する。
【０１５１】
但し、第６実施形態は、ハイライトシーンとして番組ダイジェストを使用する点で第１実施形態と異なる。番組ダイジェストとは、前回ＣＭ放送時間帯が終了してから今回ＣＭ放送が開始するまでの間(ＣＭ放送時間帯間)の番組中のハイライトシーンを、ストーリの流れを損なわないようにつなぎ合わせたものである。
【０１５２】
番組ダイジェストは、再生マネジメント部２７が分析部２２によって検出された複数のハイライトシーンを例えば以下の手法で再生することによって、作成される。
(１)分析部２２が、ＣＭ放送時間帯間における番組中から複数のハイライトシーンを検出し、今回のＣＭ放送が開始された場合に、再生マネジメント部２７が、検出された複数のハイライトシーンを均等に再生速度を速めて時系列で再生する。
(２)分析部２２が、ＣＭ放送時間帯間の番組の放送データ中から、例えばセリフの多い場面を複数箇所ハイライトシーンとして検出し、再生マネジメント部２７が、ＣＭ放送が開始されたときに、検出された複数のハイライトシーンを時系列で続けて再生する。
【０１５３】
なお、番組ダイジェストは、ＣＭ放送時間帯間の番組内容を使用し、且つその番組内容のストーリを損なわないようにされていれば、どのように編集されてもよい。
【０１５４】
図１８は、第６実施形態による受信機２０でのバッファディスク２１への書き込みアドレスと読み出しアドレスとの関係を示した図である。図１８において、灰色の網掛け部は、各ＣＭ放送時間帯に直前のＣＭ放送時間帯間で放送された番組についての番組ダイジェストが再生されることを示している。
【０１５５】
例えば、ＣＭ２のＣＭ放送時間帯では、ＣＭ２の前のＣＭ放送時間帯であるＣＭ１の終了時からＣＭ２の開始時までの番組内容に係る番組ダイジェストが視聴者に提供される。その後、ＣＭ放送の終了が検知されると、番組ダイジェストの再生が終了し、番組視聴モードに移行する。
【０１５６】
第６実施形態によると、ハイライトシーンとして、前回ＣＭが挿入された位置から今回のＣＭが開始されるまでの時間の番組ダイジェストが再生される。これによって、映画やドラマ等のストーリのある番組を視聴している時、ＣＭ時間中にストーリのあらすじを確認することができ、ぼーっとしていてストーリを把握しそこなったときなど番組の内容をもう一度確認することが可能になる。ＣＭ時間中に自動的に流れてくるので、ユーザにとっては大変有用である。
【０１５７】
〔第７実施形態〕
次に、本発明の第７実施形態を説明する。第７実施形態のハードウェア構成及び機能ブロックは、第１実施形態と同様である(図１及び図２参照)ので、説明を省略する。但し、第７実施形態は、ＣＭ放送の開始時刻から一定時間遡った部分をハイライトシーンとして使用する点で、第１実施形態と異なる。
【０１５８】
例えば、番組中のＣＭ放送時間帯が２分間である場合には、分析部２２は、ＣＭ放送の開示時刻から２分間遡った部分をハイライトシーンとして検出し、当該ハイライトシーンのハイライトインデックス(開始アドレス，終了アドレス等)をハイライトインデックス記憶部２５に記録する。その後、再生マネジメント部２７が、ＣＭ放送の開始が検知されたとき、ハイライトインデックスに従って、当該部分をハイライトシーンとして再生する。
【０１５９】
その後、ＣＭ終了検知部２４がＣＭ放送の終了を検知した場合には、再生マネジメント部２７がモードを番組視聴モードに切り替える。これによって、視聴者は、ＣＭ放送がカットされた状態で番組を視聴することができる。
【０１６０】
図１９は、第７実施形態による受信機２０でのバッファディスク２１への書き込みアドレスと読み出しアドレスとの関係を示した図である。図１９には、ＣＭ放送の開始時刻になると、ＣＭ時間帯の長さ分だけ遡ったアドレスがシークされることが表されている。
【０１６１】
また、図１９には、ＣＭ放送の終了が検知された時点で、番組視聴モードに移行し、視聴者が番組をリアルタイムで視聴することが表されている。これによって、視聴者がＣＭ放送をカットして視聴しているのと同じ効果が得られる。
【０１６２】
第７実施形態によると、ハイライトシーンとして、ＣＭ開始直前の部分をあらかじめ指定された時間分だけ遡ったところが再生される。これによって、映画やドラマ等のストーリのある番組を視聴していた場合に、ＣＭによってストーリ展開が途切れることなく視聴することができるため、視聴者にとって有用である。
【０１６３】
〔第８実施形態〕
次に、本発明の第８実施形態を説明する。第８実施形態のハードウェア構成及び機能ブロックは、第１実施形態とほぼ同様である(図１及び図２参照)。但し、第８実施形態は、分析部２２が検出した複数のハイライトシーンに対して重み付けを施し、再生マネジメント部２７が、ハイライトシーンの重みに応じて再生速度を変化させる点が第１実施形態と異なる。
【０１６４】
図２０は、第８実施形態におけるハイライトインデックス記憶部２５Ｈのデータ構造を示す説明図である。図２０において、ハイライトインデックス記憶部２５Ｈは、ハイライトシーン毎に、第１実施形態にて説明した開始アドレス，開始時刻，終了アドレス，終了時刻及びハイライトシーンの長さに加え、分析部２２にて求められたハイライトシーンの重み付けの値(重要度：この例では１〜１０の何れかの値)を保持する。
【０１６５】
分析部２２は、例えば、以下のようにして重み付けを施す。即ち、画面の動きの少ない場面では、分析部２２は重みを小さく設定する。早送りしても画面の変化が少ないので視聴者がストーリを追い易いからである。これに対し、画面の動きが激しい場面では、分析部２２は、重みを大きく設定する。動きが激しい場合に早送りすると、ストーリが解らなくなると考えられるからである。また、分析部２２は、音声で重み付けを施す場合には、例えば、セリフが少ない場面では重みを小さく設定し、セリフが多い場面では重みを大きく設定する。両者の組み合わせによって重みが設定されても良い。
【０１６６】
図２１は、第８実施形態による受信機２０でのバッファディスク２１への書き込みアドレスと読み出しアドレスとの関係を示した図である。図２１において、ＣＭ放送時間帯に再生されるハイライトシーンとして、重み付けされたシーンが使用され、重要度の低いハイライトシーンは早送り再生され、重要度の高いハイライトシーンはスロー再生されている。
【０１６７】
なお、上述した構成に代えて、第２実施形態で説明したように、放送局側で放送データにタグと共に重要度を示すデータを付加し、受信機側で、重要度を示すデータを分析部２２が検出するようにしても良い。或いは、第３実施形態で説明したように、視聴者が入力デバイス３１を用いて重要度を指定し、分析部２２が指定された重要度を検出するようにしても良い。
【０１６８】
第８実施形態では、ハイライトシーンの重要度に応じて再生速度を変化させた画像を視聴者に提供する。これによって、視聴者は重要なシーンではスロー再生によってシーンをきめ細かく確認することができ、逆に重要でないシーンを早送りで視聴することができる。従って、視聴者は、全体の流れをある程度把握しながら重要な部分を細かく見ることができる。
【０１６９】
〔第９実施形態〕
次に、本発明の第９実施形態を説明する。第９実施形態は、以下の問題に鑑みた構成を有している。
【０１７０】
視聴者向けにプレゼントの応募先が番組中に表示される場合、応募先は、通常数秒間だけしか表示されない。このため、視聴者が応募先をメモ等に書き写すことは困難であった。このため、視聴者は、応募先を覚えて思い出しながら書き出したり、数人で手分けして覚えたりしていた。このようなことを避けるため、番組中の一コマを静止画として別ウィンドウにキャプチャする機能を備えた放送受信機が存在する。
【０１７１】
しかしながら、この種の放送受信機では、別ウィンドウに表示されているあて先などの静止画は、不要になった時点で破棄しなければならない。この静止画の廃棄操作は、人手で行わなければならなかった。また、静止画は、別ウィンドウで表示されるため、その静止画を一番上に持ってくる必要があったり、あるいは画面を切り替えたりする必要があった。さらに、静止画を縮小表示で表示する場合には、文字の解像度が低くなり、読みづらくなってしまう欠点があった。
【０１７２】
第９実施形態のハードウェア構成及び機能ブロックは、第１実施形態とほぼ同様である(図１及び図２参照)。但し、第９実施形態は、再生マネジメント部２７がハイライトシーンとして番組中の一場面の静止画を視聴者に提供する点で、第１実施形態と異なる。
【０１７３】
図２２は、第９実施形態による受信機２０でのバッファディスク２１への書き込みアドレスと読み出しアドレスとの関係を示した図である。図２２に示すように、第９実施形態では、ＣＭ放送時間帯に再生されるハイライトシーンとして、番組中の一場面が静止画で表示される。そして、ＣＭ放送の終了が検知された時点で番組視聴モードに復帰する。
【０１７４】
再生される静止画には、例えば、番組中で表示されるプレゼントの応募先が挙げられる。この応募先のシーンを分析部２２がハイライトシーンとして検出し、再生マネジメント部２７がＣＭ放送時間帯に再生することで、視聴者が応募先を適正に書き写すことが可能である。
【０１７５】
第９実施形態によれば、ハイライトシーンとして、番組中の複数枚のコマ(最低一コマ)をコマ送りで利用する。これにより、番組中に表示される視聴者プレゼントのあて先をＣＭの時間を利用して書き写すことができ、時間を有効に使うことが可能になる。
【０１７６】
なお、静止画として提供されるハイライトシーンの検出手法は、第２実施形態や第３実施形態による手法であってもよい。
【０１７７】
また、第９実施形態は、ＣＭ放送の終了が検知された場合に視聴者にＣＭ放送の終了を通知する手段をさらに備えていても良い。この場合には、あて先を書き写している最中にＣＭが終了した時点で視聴者にそのまま静止画を見続けるか元の番組に戻るかを選択させることが可能になり、ＣＭの時間が終わるまでに書き写さなければならないという脅迫観念を和らげることができる。
【０１７８】
〔第１０実施形態〕
次に、本発明の第１０実施形態を説明する。図２３は、第１０実施形態による受信機２０Ｊの機能ブロック図である。図２３に示すように、第１０実施形態は、再生マネジメント部２７Ｊが、第１実施形態の再生マネジメント部２７と異なる。
【０１７９】
即ち、再生マネジメント部２７Ｊは、ハイライトシーン視聴モード時と番組視聴モード時とで音声のモードを切り替えるため、必要に応じてデコーダ８ａに音声切替指示を与える。即ち、再生マネジメント部２７Ｊは、本発明の音声制御手段として機能する。その他の構成要素は、第１実施形態と同様であるので、説明を省略する。
【０１８０】
図２４は、第１０実施形態による受信機２０Ｊの動作を示すフローチャートである。図２４のフローチャートは、図５に示した第１実施形態のフローチャートにおけるＳ１１とＳ１２との間，及びＳ１５とＳ０３との間に音声モード切替処理(Ｓ１０１２，Ｓ１０１７)が挿入された点が第１実施形態と異なり、これ以外のステップにおける処理は、第１実施形態と同じである。
【０１８１】
具体的には、番組視聴中にＣＭ放送の開始が検知された場合(Ｓ１００２；Ｙ)には、再生マネジメント部２７Ｊが、ハイライトシーンを選択し(Ｓ１０１０)、選択したハイライトシーンの画像データ及び音声データをデコーダ８ａに入力する(Ｓ１０１１)。
【０１８２】
さらに、再生マネジメント部２７Ｊは、音声モードの切替処理として、音声出力チャネルを主音声チャネルから副音声チャネルに切り替える指示をデコーダ８ａに与える(Ｓ１０１２)。これによって、ハイライトシーンの音声が副音声チャネルから出力される。
【０１８３】
その後、ＣＭ放送の終了が検知された場合(Ｓ１００８)には、再生マネジメント部２７Ｊは、ハイライトシーン視聴モードから番組視聴モードへの切替を実行し(Ｓ１０１６)、続いて、音声モード切替処理として、音声出力チャネルを副音声チャネルから主音声チャネルに切り替える(Ｓ１０１７)。
【０１８４】
なお、上述した例は、番組視聴モードにおいて、番組の音声を主音声で視聴している場合であるが、番組の音声を副音声で視聴している場合には、上記例とは逆に、ハイライトシーン視聴モードに移行したときに副音声から主音声に切り替わり、番組視聴モードに移行したときに主音声から副音声に切り替わるようにすることも可能である。
【０１８５】
第１０実施形態によると、ハイライトシーンの再生時に、ハイライトシーンの画像とハイライトシーンの副音声とが視聴者に提供される。これによって、特に外国の映画などの場合、本放送の間は日本語吹き替え版で視聴するが、ＣＭの時間を利用してハイライトシーンでの主人公のセリフを原語のオリジナルバージョンで視聴することも可能になる。逆に、本放送を原語で視聴していて、ＣＭ中にハイライトシーンの日本語吹き替えを視聴することで、原語がうまく理解できなかった部分を日本語で確認することができ、外国映画を使った外国語学習に有効利用できる。
【０１８６】
〔第１１実施形態〕
次に、本発明の第１１実施形態を説明する。第１１実施形態のハードウェア構成は、第１実施形態と同様である。図２５は、第１１実施形態による受信機２０Ｋの機能ブロックである。受信機２０Ｋは、分析部２２とハイライトインデックス記憶部２５との間に区分的ハイライトシーン作成部３５(以下、「作成部３５」と表記)が設けられている点で、第１実施形態の受信機２０(図２参照)と異なる。
【０１８７】
作成部３５は、ＣＰＵ２のプログラム実行によって実現される機能である。作成部３５は、分析部２２で検出されたハイライトシーンを、一定の長さに切り揃える。即ち、分析部２２によって求められたハイライトシーンの終了時刻を、ハイライトシーンが一定の長さとなるように変更し、変更した終了時刻に対応するアドレスを終了アドレスとして求める。そして、作成部３５は、長さが切り揃えられたハイライトシーンに関するハイライトインデックスをハイライトインデックス記憶部２５に格納する。
【０１８８】
一定の長さとして、例えば、１つのＣＭは、通常１５秒又はその倍数(１５秒，３０秒，１分)で作成され、１つのＣＭ放送時間帯は、複数のＣＭが組み合わせられることで、１分又は２分の長さになっている。このため、作成部３５は、ハイライトシーンを１５秒単位で切り揃える。或いは、ワンスポットのＣＭは１分単位で行われることが多いので、作成部３５が、ハイライトシーンを１分区切りで作成する。
【０１８９】
これによって、１つのＣＭ放送時間帯にて放送される単数又は複数のＣＭの長さに合致した一回のＣＭの間にＣＭの長さに合致したハイライトシーンを再生することができ、ＣＭ放送の終了時とハイライトシーンの再生終了時とを一致させることができる。
【０１９０】
第１１実施形態によると、１つのＣＭの長さはほぼ決まっていることに鑑み、ハイライトシーンＣＭの長さにあわせて作成することで、ＣＭ放送時間だけハイライトシーンが再生されるようにする。即ち、作成部３５がハイライトシーンの長さを１分単位で作成するので、ＣＭ放送時間帯の長さが１分単位で増減した場合に、そのＣＭ放送時間帯にハイライトシーンを丁度挿入することができる。これによって、視聴者は、完全にＣＭの代わりにハイライトシーンを視聴することが可能になる。
【０１９１】
〔第１２実施形態〕
次に、本発明の第１２実施形態を説明する。第１２実施形態のハードウェア構成は、第１実施形態とほぼ同様である(図１参照)。図２６は、第１２実施形態による受信機２０Ｌの機能ブロックである。
【０１９２】
受信機２０Ｌは、以下の点を除き、第１実施形態の受信機２０と同様であるので、共通点については説明を省略する。
(１２−１)分析部２２とハイライトインデックス記憶部２５Ｌとの間に、ハイライトシーン分類部３６(以下、「分類部３６」と表記)が設けられている。
(１２−２)受信機２０Ｌの外部に入力デバイス３７が設けられるとともに、受信機２０Ｌ内部にユーザ嗜好登録部３８と、ユーザ嗜好データベース３９とが設けられている。
【０１９３】
分類部３６は、ＣＰＵ２のプログラム実行によって実現される機能である。分類部３６は、分析部２２によって検出されるハイライトシーンを複数のジャンルの何れかに分類する。ジャンルは、ハイライトシーンの属性を示し、例えば、自然の風景，アクションシーン，ラブシーン等である。
【０１９４】
分類部３６は、分析部２２と同様に、ハイライトシーンの音声認識，画像認識及びこれらの組み合わせにより、予め保持している分類条件に従って、ハイライトシーンを分類する。分類条件は、シーンが有する画面要素や音声の傾向(指向性)に従って定義される。
【０１９５】
例えば、自然の風景であれば、直線で構成される画面要素は少ないので、ハイライトシーンの画面要素の直線成分が所定値以下である場合には、自然の風景と判断し、自然の風景に該当するジャンルに分類する。
【０１９６】
また、アクションシーンは、物体が激しく動き回り、ＢＧＭや効果音が激しく活動的である傾向がある。このため、ハイライトシーンの画面要素や音声がその傾向に合致する場合には、アクションシーンと判断する。
【０１９７】
さらに、ラブシーンは、一般に、登場人物が２人であり、音声も小さく、バラード系のＢＧＭが使用される傾向がある。このため、ハイライトシーンの画面要素がこの傾向に合致する場合には、ラブシーンと判断する。
【０１９８】
なお、上述した例以外にも、特定されるジャンルの属性に応じた傾向(指向性)に従って、分類条件を定めれば、ハイライトシーンをさらに複数のジャンルに分類することができる。
【０１９９】
例えば、或る特定の俳優やタレントの声をサンプリングしておき、ハイライトシーンにサンプリングされた声に合致するものがあれば、特定の俳優やタレントが登場するシーンのみを集めることができる。
【０２００】
そして、分類部３６は、ハイライトシーンの分類結果に従って、そのハイライトシーンにジャンルを示す数値を割り当て、その数値をハイライトインデックスの要素の１つとして、ハイライトインデックス記憶部２５Ｌに格納する。
【０２０１】
図２７は、ハイライトインデックス記憶部２５Ｌのデータ構造を示す説明図である。図２７に示すように、ハイライトインデックス記憶部２５Ｌには、第１実施形態で説明した開始時刻，開始アドレス，終了時刻，終了アドレス及びハイライトシーンの長さ(図３参照)に加え、ハイライトシーンのジャンルを示す数値(この例では、１〜１０)が格納される。
【０２０２】
入力デバイス３７は、キーボード１６，マウス１７等のポインティングデバイス，リモートコントローラ，或いは視聴者の音声認識処理のためのマイク及び音声認識装置で構成することができる。入力デバイス３７は、視聴者(ユーザ)が自身の嗜好を登録するために使用される。具体的には、視聴者は、入力デバイス３７を用いて、予め用意された各ジャンルに対する嗜好度を示す数値を入力する。
【０２０３】
ユーザ嗜好登録部３８は、ＣＰＵ２のプログラム実行によって実現する機能である。ユーザ嗜好登録部３８は、入力デバイス３７から嗜好度が入力された場合に、その嗜好度をユーザ嗜好データベース３９に登録する。
【０２０４】
図２８は、ユーザ嗜好データベース３９のデータ構造を示す説明図である。図２８に示すように、ユーザ嗜好データベース３９は、ハイライトのジャンルと、それに対応した視聴者の嗜好度のデータ項目を持つ。嗜好度はここでは数字の大きいほど嗜好性が高いことを示している。
【０２０５】
なお、この例では、１人の視聴者に対するテーブルのみが図示されているが、図２８に示すテーブルが複数設けられ、複数の視聴者の嗜好度が登録できるようにされていても良い。
【０２０６】
再生マネジメント部２７Ｌは、ＣＭインデックス，ハイライトインデックス，及びユーザ嗜好データベース３９の保持内容に基づいて、バッファディスク２１に記録されたハイライトシーンの再生をマネジメントする。
【０２０７】
第１２実施形態による受信機２０Ｌの動作は、図５に示した第１実施形態の動作とほぼ同様である。但し、Ｓ１０のハイライト選択処理の動作が異なる。即ち、第１２実施形態では、Ｓ１０において、以下の動作が行われる。
【０２０８】
再生マネジメント部２７Ｌは、ＣＭ中に再生するハイライトシーンとして、複数のハイライトシーンのうち、視聴者の好みに合致したものから順に選択・再生する。
【０２０９】
即ち、再生マネジメント部２７Ｌは、ユーザ嗜好データベース３９を参照し、視聴者の各ジャンルに対する嗜好度を認識する。続いて、再生マネジメント部２７Ｌは、ハイライトインデックス記憶部２５Ｌを参照し、ユーザの嗜好度が高いジャンルのハイライトシーンから順に選択・再生する。これによって、複数のハイライトシーンのうち、ユーザの嗜好度が高いハイライトシーンが優先的に再生される。
【０２１０】
従って、番組の視聴者は、自分の好みに応じた順でハイライトシーンをＣＭ放送時間帯に視聴することが可能になる。
【０２１１】
第１２実施形態によれば、視聴者の嗜好度を予め登録しておくと、その嗜好度に応じた順でハイライトシーンが再生される。即ち、第１２実施形態では、視聴者の属性(性別，年齢，性格等)に基づく嗜好に応じたハイライトシーンを視聴者に提供することができる。このため、広い範囲の視聴者にハイライトシーンの視聴による満足感を与えることができる。
【０２１２】
〔第１３実施形態〕
次に、本発明の第１３実施形態を説明する。第１３実施形態のハードウェア構成は、第１実施形態とほぼ同様である(図１参照)。図２９は、第１２実施形態による受信機２０Ｍの機能ブロックである。
【０２１３】
受信機２０Ｍは、以下の点を除き、第１実施形態の受信機２０と同様であるので、共通点については説明を省略する。
(１３−１)スイッチ２８が無く、チューナ１８からの放送データのみが入力されるデコーダ８ｂと、バッファディスク２１からの放送データのみが入力されるデコーダ８ｃとが並列に設けられている。
(１３−２)各デコーダ８ｂ,８ｃと接続されるとともに、ディスプレイ装置１５に接続された複数画面表示部４１(表示制御部に相当)が設けられている。
(１３−３)再生マネジメント部２７Ｍが複数画面表示部４１の動作を制御する。
【０２１４】
図３０は、第１３実施形態による受信機２０Ｍの動作を示すフローチャートである。図３０のフローチャートは、図５に示した第１実施形態のフローチャートにおけるＳ１１の処理に代えて複数画面表示処理(Ｓ１３１２)が実行され、Ｓ１５の処理に代えて単数画面表示処理(Ｓ１３１７)が実行される点が第１実施形態と異なり、これ以外のステップにおける処理は、第１実施形態と同じである。
【０２１５】
具体的には、図２９の構成により、チューナ１８からの放送データは、視聴中常にデコーダ８ｂに入力される。ＣＭ放送の開始が検知されると(Ｓ１３０２)、再生マネジメント部２７Ｍが、番組の放送画面と、ハイライトシーンの画面とが同時にディプレイ装置１５のモニタに表示されるように、複数画面表示部４１に指示を与える(Ｓ１３１１)。
【０２１６】
一方、ＣＭ放送の終了が検知されると(Ｓ１３０８)、再生マネジメント部２７Ｍが、番組の放送画面のみがディスプレイ装置１５のモニタに表示されるように、複数画面表示部４１に指示を与える(Ｓ１３１５)。これによって、視聴者が、ＣＭ放送時間帯にハイライトシーンを複数画面表示で視聴し、ＣＭ放送時間帯が終了すると、その後の番組を単数画面表示で視聴することができる。
【０２１７】
図３１は、第１３実施形態の画面表示イメージの例を示す図である。図３１には、ＣＭ放送時間帯における複数画面表示のパターン例として、Ａ〜Ｄの４つのパターン例が図示されている。但し、複数画面表示であればＡ〜Ｄ以外のパターン例でもよい。
【０２１８】
パターン例Ａは、ハイライトシーンの画面(ハイライト画面)が全画面表示され、リアルタイム受信中の画面(受信放送画面)は、右下隅に小画面表示で重ね合わさっている表示パターンである。
【０２１９】
パターン例Ｂとパターン例Ｃとは、ハイライト画面と受信放送画面とが重なりあわないようにした場合である。Ｂはハイライト画面が受信放送画面よりも大きいことが特徴であり、Ｃはハイライト画面と受信放送画面のサイズが等しいことが特徴である。
【０２２０】
第１３実施形態によると、ハイライト画面とＣＭ放送の受信放送画面とがＣＭ放送中に同時にディスプレイ装置１５に表示される。これによって、視聴者は、ＣＭと同時にハイライトシーンを視聴することができる。従って、話題になっているＣＭや好きなタレントが出ているＣＭなら見たいが、それ以外は見たくないという視聴者の要望に応えることができる。
【０２２１】
なお、第１４実施形態で再生されるハイライトシーンは、第２又は第３実施形態における手法で得るようにしても良い
〔第１４実施形態〕
次に、本発明の第１４実施形態を説明する。第１４実施形態のハードウェア構成は、第１実施形態とほぼ同様であり(図１参照)、機能ブロックは、第１３実施形態と同様である(図２９参照)。
【０２２２】
但し、第１４実施形態は、動作を第１３実施形態と異にする。即ち、第１４実施形態では、ハイライトシーンとＣＭ放送とが複数画面表示されている場合に、ＣＭ放送が終了した場合には、複数画面表示の態様(表示モード)を変更し、その後、ハイライトシーンの再生が終了した場合には、受信放送画面の単数画面表示に移行する。
【０２２３】
図３２は、第１４実施形態による受信機２０Ｍの動作を示すフローチャートである。以下、図３２を用いて受信機の主たる動作を説明する。
【０２２４】
Ｓ１４０２にて、ＣＭ開始検知部２３が、チューナ１８から受信した放送データを解析してＣＭ放送の開始かどうかを判断する。このとき、ＣＭ放送の開始前である場合(Ｓ１４０２；Ｎ)には、ハイライト分析処理(Ｓ１４０３：図６参照)が行われた後、番組視聴が行われる(Ｓ１４０４)。但し、Ｓ１４０３とＳ１４０４との順序は逆でも良い。その後、視聴者が番組視聴を継続する場合(Ｓ１４０５；Ｎ)には、Ｓ１４０１に処理が戻る。
【０２２５】
一方、ＣＭ開始検知部２３がＣＭ放送の開始を検知した場合(Ｓ１４０２；Ｙ)には、ＣＭ開始インデックス格納処理が実行される(Ｓ１４０６：図７(Ａ)参照)。その後、ＣＭ終了検知処理(Ｓ１４０７)でＣＭ放送の終了が検知されるまで、ハイライトシーンの再生が実行される。
【０２２６】
即ち、必要に応じてハイライト選択処理が実行され(Ｓ１４１０：図８参照)、第１３実施形態の複数画面表示処理(Ｓ１３１１)と同様の第１複数画面表示処理(Ｓ１４１１)が実行される。これによって、視聴者はハイライトシーンを複数画面表示で視聴することができる(Ｓ１４１２)。
【０２２７】
その後、ＣＭ終了検知処理(Ｓ１４０７)が実行されたときに、ハイライトシーンの再生が終了し(Ｓ１４０８；Ｎ)、且つＣＭ放送が終了していれば(Ｓ１４０９；Ｙ)、ＣＭ終了インデックス格納処理(Ｓ１４１６：図７(Ｂ)参照)が実行される。その後、第１３実施形態と同様の単数画面表示処理が実行され(Ｓ１４１７)、番組視聴モードに移行する(Ｓ１４０４)。
【０２２８】
一方、ＣＭ終了検知処理(Ｓ１４０７)が実行されたときに、ハイライトシーンの再生が終了していない場合(ハイライト視聴中の場合)には(Ｓ１４０８；Ｙ)、ＣＭ放送が終了したか否かが判定される(Ｓ１４１４)。
【０２２９】
このとき、ＣＭ放送が終了していない場合(Ｓ１４１４；Ｎ)には、Ｓ１４１２に処理が進み、ハイライトシーンの再生・複数画面表示が継続される。これに対し、ハイライト視聴中にＣＭ放送が終了した場合(Ｓ１４１４；Ｙ)には、第２複数画面表示処理(Ｓ１４１５)が実行され、複数画面表示の表示パターンが変更される。その後、処理がＳ１４１２へ進む。
【０２３０】
図３３は、第１４実施形態の動作に伴う画面表示例を説明図である。図３３では、パターン例Ａ１,Ｂ１及びＣ１の３つの例が示されている。図３３に示すように、ＣＭ放送が開始される前は、受信放送画面が単数画面表示される。その後、ＣＭ放送が開始された場合には、第１複数画面表示が実行される。第１複数画面表示では、ハイライト画面とＣＭ放送の受信放送画面とが同時にモニタに表示される。各画面には、予め画面のサイズ及び表示位置の順位付けが施されている。
【０２３１】
即ち、パターン例Ａ１及びＢ１は、サイズの点でハイライト画面の順位が高い例であり、ハイライト画面のサイズが受信放送画面のサイズよりも大きい。これに対し、パターン例Ｃ１は、表示位置の点でＣＭ放送の受信放送画面の順位が高い例であり、受信放送画面がハイライト画面よりも前で表示されている。
【０２３２】
ハイライト視聴中にＣＭ放送が終了した場合、再生マネジメント部２７Ｍによる複数画面表示部４１の制御によって、第２複数画面表示に表示モードが変更される。この変更は、例えば、第１複数画面表示における順位を逆にすることで実行される。
【０２３３】
図３３中の第２複数画面表示の例であるパターン例Ａ’１，Ｂ’１及びＣ’１は、第１複数画面表示の順位付けを逆にしたものであり、夫々ハイライト画面と番組の受信放送画面とが入れ替わっている。その後、ハイライト視聴が終了した時点で、元の受信放送画面の単数画面表示に復帰する。
【０２３４】
第１４実施形態によれば、ＣＭ放送が終了した場合にも複数画面表示が実行されるので、視聴者がＣＭ放送終了後も番組と同時にハイライトシーンを視聴することができ、ハイライトシーンの視聴が中途半端で終わってしまうことを防止できる。
【０２３５】
また、複数画面表示におけるハイライト画面と受信放送画面とのサイズ及び表示位置に予め順位付けが施され、ＣＭ放送中はハイライト画面の順位を高くし、ＣＭ終了後は受信放送画面の順位を高くする。
【０２３６】
これによって、番組をリアルタイムで視聴したい視聴者を優先しながら、ハイライトシーンを最後まで視聴したい視聴者の希望に応えることができる。なお、ハイライト画面と受信放送画面とに対する順位付けは、視聴者の操作によって、上記例と逆にできるようにしても良い。
【０２３７】
〔第１５実施形態〕
次に、本発明の第１５実施形態を説明する。第１５実施形態は、第１実施形態(図１参照)と同様のハードウェア構成で実現することができる。図３４は、第１５実施形態による受信機２０Ｎの機能ブロック図である。受信機１５は、第１実施形態の構成要素(図２参照)に、入力デバイス４２と、インデックス画面表示部４３と、ハイライトシーン指示部４４と、スイッチ４５とが加えられたものである。
【０２３８】
インデックス画面表示部４４は、ＣＰＵ２のプログラム実行によって実現される機能である。インデックス画面表示部４４は、ハイライトインデックス記憶部２５に記憶された各ハイライトシーンの開始アドレスを読み出し、その開始アドレスに格納されたハイライトシーンの最初の場面をバッファディスク２１から読み出して、ハイライトシーンの最初の場面を示す静止画を作成する。
【０２３９】
そして、インデックス画面表示部４４は、作成した静止画をインデックスとして保持し、ディスプレイ装置１５へ向けて出力する。このとき、スイッチ４５が、インデックス画面表示部４４とディスプレイ装置１５とを接続する状態になっている場合には、ディスプレイ装置１５のモニタには、インデックス画面(図３６参照)として、単数又は複数のハイライトシーンの静止画が表示される。
【０２４０】
入力デバイス４２は、キーボード１６，マウス１７等のポインティングデバイス，リモートコントローラ，或いは視聴者の音声認識処理のためのマイク及び音声認識装置で構成することができる。入力デバイス３７は、視聴者がインデックス画面を参照し、所望のハイライトシーンを選択するために使用される。
【０２４１】
ハイライトシーン指示部４３は、ＣＰＵ２のプログラム実行によって実現する機能である。ハイライトシーン指示部４３は、ＣＭ開始検知部２３がＣＭ放送の開始を検知した場合に起動する。そして、ハイライトシーン指示部４３は、スイッチ４５を、インデックス画面表示部４４側に切り替えて、インデックス画面をディスプレイ装置１５に表示させる。
【０２４２】
その後、入力デバイス４２からハイライトシーンの指定が入力された場合には、ハイライトシーン指示部４３は、そのハイライトシーンがディスプレイ装置１５に表示されるように、再生マネジメント部２７Ｎを制御するとともに、スイッチ４５をデコーダ８ａ側に切り替える。
【０２４３】
再生マネジメント部２７Ｎは、ハイライトシーン指示部４３から入力デバイス４２にて指定されたハイライトシーンの再生指示を受け取る。すると、再生マネジメント部２７Ｎは、当該再生指示に従って、第１実施形態にて説明した手法により、指定されたハイライトシーンに対応する放送データをデコーダ８ａに入力する。これによって、指定されたハイライトシーンがディスプレイ装置１５のモニタに表示される。
【０２４４】
スイッチ４５は、スイッチ２８とほぼ同じ構成を有しており、ハイライトシーン指示部４３によって、デコーダ８ａ側とインデックス画面表示部４４との一方に切り替えられる。
【０２４５】
図３５は、第１５実施形態による受信機２０Ｎの放送データ受信時の処理を示すフローチャートである。以下、図３５を用いて、受信機２０Ｎにおける主たる動作を説明する。
【０２４６】
図３５のＳ１５０２にて、ＣＭ放送が開始されていないと判定された場合には、
ハイライト分析処理(Ｓ１５０３：図６参照)が実行された後、番組視聴が行われる(Ｓ１５０４)。但し、Ｓ１５０３とＳ１５０４との順序は逆でも良い。その後、視聴者が番組視聴を継続する場合(Ｓ１５０５；Ｎ)には、Ｓ１５０１に戻る。
【０２４７】
一方、ＣＭ放送の開始が検知された場合(Ｓ１５０２；Ｙ)には、ＣＭ開始インデックス格納処理が行われる(Ｓ１５０６；図７(Ａ)参照)。その後、インデックス画面表示処理が実行される(Ｓ１５０７)。即ち、ハイライトシーン指示部４３及びインデックス画面表示部４４によって、インデックス画面がディスプレイ装置１５に表示される。
【０２４８】
インデックス画面が表示された場合には、インデックス画面は、視聴者(ユーザ)が入力デバイス４２でハイライトシーンを指定するか、あるいはＣＭ放送時間帯が終了するまで表示された状態となる(Ｓ１５０７，Ｓ１５０８及びＳ１５１６のループ処理)。
【０２４９】
インデックス画面が表示されているときに、視聴者がハイライトシーンを指定(選択)した場合(Ｓ１５０８；Ｙ)には、Ｓ１５０９にてＣＭ放送の終了が検知されるまで、再生マネジメント部２７Ｎによって、指定されたハイライトシーンが再生される(Ｓ１５０９〜Ｓ１５１５のループ処理)。なお、図３５では、Ｓ１５０９とＳ１５１６として、図５に示した終了検知処理(Ｓ０７)と終了の条件判断(Ｓ０８)とが一つにまとめられている。
【０２５０】
Ｓ１５０９〜Ｓ１５１５のループ処理において、ハイライトシーンが未だ選択されていない場合(Ｓ１５１０；Ｎ)には、ハイライト選択処理が実行され、指定されたハイライトシーンが選択される(Ｓ１５１１：図８参照)。
【０２５１】
その後、デコーダ８ａに対する放送データの出力がバッファディスク２１からの出力に切り替えられ(Ｓ１５１２)、画面表示をインデックス画面表示から通常の画面表示に戻して、ハイライト視聴を行う(Ｓ１５１３,Ｓ１５１４)。
【０２５２】
その後、ＣＭ放送の終了が検知された場合(Ｓ１５０９；Ｙ)には、ＣＭ終了インデックス格納処理(Ｓ１５１７：図７(Ｂ)参照)が実行される。その後、インデックス画面がディスプレイ装置１５に表示されている場合には、インデックス画面が通常画面に切り替えられ(Ｓ１５１８)、デコーダ８ａに対する放送データの出力がチューナ１８からの出力に切り替えられ(Ｓ１５１９)、番組視聴モードに移行する(Ｓ１５０３，Ｓ１５０４)。
【０２５３】
図３６は、第１５実施形態におけるモニタの画面表示イメージである。図３６に示すように、ＣＭ放送の開始直前まで、通常画面が表示され、ＣＭ放送の開始が検知されると、通常画面がインデックス画面に切り替えられる。インデックス画面は、インデックス画面表示部４４(インデックス提供部に相当)で作成された選択可能なハイライトシーンの先頭画面の静止画をインデックスとして表示する。インデックスは、例えば、モニタの表示領域を均等に分割した分割領域に表示される。
【０２５４】
視聴者は、インデックス画面に表示されたインデックス(静止画)を参照し、所望のハイライトシーンがあれば、入力デバイス４２を用いて、当該ハイライトシーンを指定(選択)する。すると、インデックス画面が通常画面に切り替えられ、選択されたハイライトシーンが表示される。図３６では、図中のＨＡ及びＨＢが選択されたハイライトシーンに相当する。
【０２５５】
これに対し、図３６に示すように、インデックス画面には、ＣＭの視聴を希望する場合又はハイライトシーンの視聴を希望しない場合に選択される受信放送のインデックスを含めることもできる。
【０２５６】
受信放送のインデックスは、例えば、ＣＭ放送が開始される直前の番組の静止画やＣＭ放送の開始直後の静止画をインデックス画面表示部４４が作成して表示するようにしても良く、或いは、受信放送を選択する旨のボタンが受信放送のインデックスとして表示されるようにしても良い。
【０２５７】
受信放送のインデックスが選択された場合には、スイッチ２８がチューナ１８側に切り替えられるとともに、スイッチ４５がデコーダ８ａ側に切り替えられる。これによって、インデックス画面が通常画面に切り替えられ、ＣＭがモニタに表示される。即ち、視聴者に、ＣＭのリアルタイム放送が提供される。その後、ＣＭ放送が終了した場合には、連続して番組のリアルタイム放送が提供される。
【０２５８】
第１５実施形態によれば、ハイライトシーンのインデックス画面が表示され、視聴者が所望のハイライトシーンを選択すると、当該ハイライトシーンが再生される。従って、視聴者は、所望のハイライトシーンを視聴することができるので、ＣＭ放送時間帯を他の実施形態に比べて有効に利用することができる。また、所望のハイライトシーンがない場合には、受信放送の視聴を選択することで、ＣＭ放送を視聴することもできる。
【０２５９】
なお、本実施形態では、ハイライトシーンのインデックスとして静止画を用いたが、インデックスは、ハイライトシーンの内容を示すテキストであっても良い。また、インデックス画面は、図３６に示したように、インデックスを均等に分割した領域に表示するのではなく、リスト状に表示しても良い。
【０２６０】
また、図３５に示したフローチャートでは、選択されたハイライトシーンの長さがＣＭ放送時間帯よりも短い場合には、選択されたハイライトシーンの再生終了後に、再生マネジメント部２７Ｎによって選択されたハイライトシーンがＣＭ放送時間帯が終了するまで再生される。これに対し、ＣＭ放送時間帯の終了前に選択されたハイライトシーンの再生が終了した場合には、インデックス画面が再表示されるようにしても良い。
【０２６１】
〔第１６実施形態〕
次に、本発明の第１６実施形態を説明する。第１６実施形態のハードウェア構成及び機能ブロックは、第６実施形態とほぼ同様である。但し、第１６実施形態では、番組が終了してから次の番組が開始される迄の間に、それまで視聴した番組のダイジェストを再生する。
【０２６２】
番組終了・番組開始の認識は、例えば、以下のようにして行われる。即ち、インターネット等を通じて番組情報(放送プログラム：「電子番組表」)の提供を受けるサービスがある。このサービスを利用して番組の開始時刻や終了時刻のデータを取得し、これを利用することで、番組終了時刻や番組開始時刻を認識することができる。電子番組表は、ＥＰＧ(Electric Program Guide)と呼ばれ、ＢＳディジタル放送では放送電波に含まれている。これに対し、視聴者が受信機に放送プログラム(番組開始時刻や番組終了時刻)をマニュアルで入力するようにしても良い。
【０２６３】
放送プログラムが番組終了後にＣＭをまとめて入れるようになっている場合には、その番組開始からのＣＭのトータル時間をカウントしていけば、番組に対するＣＭ挿入比率は決まっているので、番組が終了してから次の番組が始まるまでに挿入されるＣＭの時間を計算(逆算)することができる。
【０２６４】
ダイジェストは、第６実施形態にて説明した番組ダイジェストをつなぎ合わせることで作成することができる。ダイジェストの長さを次の番組までの時間に調整したい場合には、例えば、第８実施形態にて説明したように、各番組ダイジェストに重要度を割り当て、重要度の高い番組ダイジェストから順に選択してつなぎ合わせることで、ダイジェストの長さが番組間のＣＭ放送時間帯の長さになるように長さを調整する。
【０２６５】
図３７は、第１６実施形態による受信機でのバッファディスクへの書き込みアドレスと読み出しアドレスとの関係を示した図である。図３７において、番組Ａが終了してから番組Ｂが始まるまでの間に、今まで視聴していた番組Ａのダイジェストが再生されることが示されている。番組Ｂが開始したことを検知した時点で番組視聴モードに復帰する。
【０２６６】
第１６実施形態によれば、番組間のＣＭ放送時間帯に、直前に放送されていた番組のダイジェストを再生する。これによって、番組終了から次の番組開始までの時間にいままで見ていた番組のダイジェストを視聴することができる。
【０２６７】
このため、視聴者は、番組に対する感想を見直すことができる。例えば、番組が感動するものであった場合には、視聴者は、ダイジェストの視聴によってさらに感動を深めることができる。或いは、ダイジェストの視聴で、番組のストーリをさらに深く理解でき、本放送に対する感想とは別の感想を持つことができる。
【０２６８】
なお、上述した第１〜第１６実施形態では、ＣＭ放送の終了を検知するＣＭ終了検知２４が用いられていた。これに代えて、ＣＭ放送の開始が検知されてから所定時間が経過すると自動的に番組視聴モードに移行させる時間計測部(タイマ)が設けられていても良い。このようにすると、受信機の構成を簡易にすることができ、且つＣＭ放送時間帯が予め分かっている場合には、ＣＭを完全にカットすることもできる。
【０２６９】
なお、第１〜第１６実施形態にて説明した構成は、適宜組み合わせることが可能である。
【０２７０】
〔その他〕
本発明は、以下のように特定することができる。
（付記１）放送されている番組のハイライトシーンを検出するハイライトシーン検出部と、少なくとも前記番組のハイライトシーンを記憶装置に記憶させる手段と、コマーシャルメッセージ(ＣＭ)の放送を検出するＣＭ検出部と、ＣＭの放送中に前記記憶されたハイライトシーンを再生させる再生制御部とを備えた放送受信機。
（付記２）前記ＣＭ検出部は、ＣＭの放送開始を検出するＣＭ開始検出部を含み、前記ＣＭの放送が開始された場合に、前記ハイライトシーンの再生を開始させる付記１記載の放送受信機。
（付記３）再生されたハイライトシーンをＣＭに代えて視聴者に提供する付記１又は２記載の放送受信機。
（付記４）再生されたハイライトシーンをＣＭとともに視聴者に提供する付記１又は２記載の放送受信機。
（付記５）前記ハイライトシーン検出部は、前記番組の放送データに含まれたハイライトシーンを示す指標に従ってハイライトシーンを検出する付記１〜４の何れかに記載の放送受信機。
（付記６）前記ハイライトシーン検出部は、視聴者の指示に従ってハイライトシーンを検出する付記１〜５の何れかに記載の放送受信機。
（付記７）前記記憶装置は所定時間分の放送データを随時記憶し、前記再生制御部は、ＣＭの放送が終了したときにハイライトシーンの再生が終了していない場合には、ハイライトシーンの再生終了後、前記ＣＭの放送終了直後からの放送データを再生する付記１〜６の何れかに記載の放送受信機。
（付記８）前記再生制御部は、放送データの再生時に次のＣＭの放送が開始された場合に、放送時刻と再生時刻との時間差が次のＣＭの放送時間を上回るときには、ハイライトシーンの再生を実行することなく前記放送データの再生を継続する付記７記載の放送受信機。
（付記９）前記再生制御部は、複数のハイライトシーンからなる番組のダイジェストを前記ハイライトシーンとして再生する付記１〜８の何れかに記載の放送受信機。
（付記１０）前記記憶装置は所定時間分の放送データを随時記憶し、前記再生制御部は、ＣＭの放送が開始されたときに、前記記憶装置に記憶されたＣＭの放送開始時点から所定時間まで遡った部分をハイライトシーンとして再生する付記１〜４，７，８の何れかに記載の放送受信機。
（付記１１）前記記憶装置は、重要度がそれぞれ割り当てられた複数のハイライトシーンを記憶し、前記再生制御部は、ハイライトシーンを、その重要度に応じた速度で再生する付記１〜４，７，８の何れかに記載の放送受信機。
（付記１２）前記再生制御部は、静止画をハイライトシーンとして再生する請求項１〜６の何れかに記載の放送受信機。
（付記１３）前記番組は第１音声と第２音声とを含み、放送時刻に合わせた番組の提供に際して第１音声と第２音声との一方の音声を提供するとともに、ハイライトシーンの再生に際して他方の音声を提供する音声制御手段をさらに備えた付記１〜６の何れかに記載の放送受信機。
（付記１４）前記再生制御部は、番組中に挿入されるＣＭの放送時間に合致する長さを有するハイライトシーンを再生する付記１〜６の何れかに記載の放送受信機。
（付記１５）前記記憶装置に記憶されたハイライトシーンを複数の種類の何れかに分類するハイライトシーン分類部をさらに備え、前記再生制御部は、ＣＭの放送が開始された場合に、視聴者の好みに応じた種類のハイライトシーンを優先的に前記記憶装置から読み出して再生する付記１〜６の何れかに記載の放送受信機。
（付記１６）放送時刻に応じた放送データの画像と再生されたハイライトシーンの画像とを１つの表示画面に同時に表示する表示制御部をさらに備えた付記４記載の放送受信機。
（付記１７）前記表示制御部は、前記放送データの画像の表示領域及び前記ハイライトシーンの画像の表示領域の前記表示画面に対するサイズ又は表示位置をＣＭの放送が終了した場合に変更する付記１６記載の放送受信機。
（付記１８）前記記憶装置が単数又は複数のハイライトシーンを記憶し、ＣＭの放送が開始された場合に、ハイライトシーンを選択するためのインデックスを提供するインデックス提供部をさらに備えた付記２，３，５，４の何れかに記載の放送受信機。
（付記１９）前記再生制御部は、或る番組が終了してから次の番組が開始するまでの間に、ハイライトシーン，または、或る番組の複数のハイライトシーンからなるダイジェストを再生する付記１〜６の何れかに記載の放送受信機。
（付記２０）放送されている番組のハイライトシーンを検出し、少なくとも前記番組のハイライトシーンを記憶装置に記憶し、コマーシャルメッセージ(ＣＭ)の放送を検出し、ＣＭの放送中に前記記憶されたハイライトシーンを再生させることを含む放送制御方法。
（付記２１）ＣＭの放送開始を検出し、前記ＣＭの放送が開始された場合に、前記ハイライトシーンの再生を開始する付記２０記載の放送制御方法。
（付記２２）再生されたハイライトシーンは、ＣＭに代えて視聴者に提供される付記２０又は２１記載の放送制御方法。
（付記２３）再生されたハイライトシーンは、ＣＭとともに視聴者に提供される付記２０又は２１記載の放送制御方法。
（付記２４）前記番組の放送データに含まれたハイライトシーンを示す指標に従ってハイライトシーンが検出される付記２０〜２３の何れかに記載の放送制御方法。
（付記２５）視聴者の指示に従ってハイライトシーンが検出される付記２０〜２３の何れかに記載のテレビ放送提供方法。
（付記２６）前記記憶装置は所定時間分の放送データを随時記憶し、ＣＭの放送が終了したときにハイライトシーンの再生が終了していない場合には、ハイライトシーンの再生終了後、前記ＣＭの放送終了直後からの放送データが再生される付記２２記載の放送制御方法。
（付記２７）前記放送データの再生時に次のＣＭの放送が開始された場合において、放送時刻と再生時刻との時間差が次のＣＭの放送時間を上回る場合には、ハイライトシーンの再生が実行されず前記放送データの再生が継続される付記２６記載の放送制御方法。
（付記２８）前記ハイライトシーンが複数のハイライトシーンからなる番組のダイジェストである付記２０〜２７の何れかに記載の放送制御方法。
（付記２９）前記記憶装置は所定時間分の放送データを随時記憶し、ＣＭの放送が開始されたときに、前記記憶装置に記憶されたＣＭの放送開始時点から所定時間まで遡った部分がハイライトシーンとして再生される付記２０〜２２，２６，２７の何れかに記載の放送制御方法。
（付記３０）前記記憶装置は、重要度がそれぞれ割り当てられた複数のハイライトシーンを記憶し、ハイライトシーンは、その重要度に応じた速度で再生される付記２０〜２２，２６，２７の何れかに記載の放送制御方法。
（付記３１）静止画がハイライトシーンとして再生される付記２０〜２５の何れかに記載の放送制御方法。
（付記３２）前記番組は第１音声と第２音声とを含み、放送時刻に合わせた番組の提供に際して第１音声と第２音声との一方の音声が提供され、ハイライトシーンの再生に際して他方の音声が提供される付記２０〜２５の何れかに記載の放送制御方法。
（付記３３）前記ハイライトシーンは、番組中に挿入されるＣＭの放送時間に合致する長さを有する付記２０〜２５の何れかに記載の放送制御方法。
（付記３４）前記記憶装置に記憶されたハイライトシーンが複数の種類の何れかに分類され、ＣＭの放送が開始された場合に、視聴者の好みに応じた種類のハイライトシーンが優先的に前記記憶装置から読み出されて再生される付記２０〜２５の何れかに記載の放送制御方法。
（付記３５）放送時刻に応じた放送データの画像と再生されたハイライトシーンの画像とが１つの表示画面に同時に表示される付記２３記載の放送制御方法。
（付記３６）前記放送データの画像の表示領域及び前記ハイライトシーンの画像の表示領域の前記表示画面に対するサイズ又は表示位置がＣＭの放送が終了した場合に変更される付記３５記載の放送制御方法。
（付記３７）前記記憶装置が単数又は複数のハイライトシーンを記憶し、ＣＭの放送が開始された場合に、視聴者がハイライトシーンを選択するためのインデックスが視聴者に提供される付記２０，２２，２４，２５の何れかに記載の放送制御方法。
（付記３８）或る番組が終了してから次の番組が開始するまでの間に、ハイライトシーン，または、或る番組の複数のハイライトシーンからなるダイジェストが再生される付記２０〜２５の何れかに記載の放送制御方法。
（付記３９）コンピュータに、放送されている番組のハイライトシーンを検出するステップと、少なくとも前記番組のハイライトシーンを記憶装置に記憶するステップと、コマーシャルメッセージ(ＣＭ)の放送を検出するステップと、ＣＭの放送中に前記記憶装置に記憶されたハイライトシーンを再生させるステップとを実行させるプログラムを記録した記録媒体。
（付記４０）ＣＭの放送を検出するステップにてＣＭの放送開始を検出し、前記ＣＭの放送が開始された場合に、前記ハイライトシーンの再生を開始するステップをさらに含む前記プログラムを記録した付記３９記載のコンピュータ読み取り可能な記録媒体。
（付記４１）再生されたハイライトシーンをＣＭに代えて視聴者に提供するステップをさらに含む前記プログラムを記録した付記３９又は４０記載のコンピュータ読み取り可能な記録媒体。
（付記４２）再生されたハイライトシーンをＣＭとともに視聴者に提供するステップをさらに含む前記プログラムを記録した付記３９又は４０記載のコンピュータ読み取り可能な記録媒体。
（付記４３）前記ハイライトシーンを検出するステップにおいて、前記番組の放送データに含まれたハイライトシーンを示す指標に従ってハイライトシーンを検出する前記プログラムを記録した付記３９〜４２の何れかに記載のコンピュータ読み取り可能な記録媒体。
（付記４４）視聴者の指示に従って、前記ハイライトシーンを検出するステップにおいてハイライトシーンを検出する前記プログラムを記録した付記３９〜４２の何れかに記載のコンピュータ読み取り可能な記録媒体。
（付記４５）前記記憶装置に所定時間分の放送データを随時記憶させ、ＣＭの放送が終了したときにハイライトシーンの再生が終了していない場合には、ハイライトシーンの再生終了後、前記ＣＭの放送終了直後からの放送データを再生する前記プログラムを記録した付記４１記載のコンピュータ読み取り可能な記録媒体。
（付記４６）前記放送データの再生時に次のＣＭの放送が開始された場合において、放送時刻と再生時刻との時間差が次のＣＭの放送時間を上回るときには、ハイライトシーンの再生を実行することなく前記放送データの再生を継続する前記プログラムを記録した付記４５記載のコンピュータ読み取り可能な記録媒体。
（付記４７）複数のハイライトシーンからなる番組のダイジェストを前記ハイライトシーンとして再生する前記プログラムを記録した付記３９〜４６の何れかに記載のコンピュータ読み取り可能な記録媒体。
（付記４８）前記記憶装置は所定時間分の放送データを随時記憶し、ＣＭの放送が開始されたときに、前記記憶装置に記憶されたＣＭの放送開始時点から所定時間まで遡った部分をハイライトシーンとして再生する前記プログラムを記録した付記３９〜４１，４５，４６の何れかに記載のコンピュータ読み取り可能な記録媒体。
（付記４９）前記記憶装置は重要度がそれぞれ割り当てられた複数のハイライトシーンを記憶し、ハイライトシーンを重要度に応じた速度で再生する前記プログラムを記録した付記３９〜４１，４５，４６の何れかに記載のコンピュータ読み取り可能な記録媒体。
（付記５０）静止画をハイライトシーンとして再生する前記プログラムを記録した付記３９〜４４の何れかに記載のコンピュータ読み取り可能な記録媒体。
（付記５１）前記番組は第１音声と第２音声とを含み、放送時刻に合わせた番組の提供に際して第１音声と第２音声との一方の音声を提供するとともに、ハイライトシーンの再生に際して他方の音声を提供する前記プログラムを記録した付記３９〜４４の何れかに記載のコンピュータ読み取り可能な記録媒体。
（付記５２）前記ハイライトシーンは番組中に挿入されるＣＭの放送時間に合致する長さを有する前記プログラムを記録した付記３９〜４４の何れかに記載のコンピュータ読み取り可能な記録媒体。
（付記５３）前記記憶装置に記憶されたハイライトシーンが複数の種類の何れかに分類され、ＣＭの放送が開始された場合に、視聴者の好みに応じた種類のハイライトシーンが優先的に前記記憶装置から読み出されて再生される前記プログラムを記録した付記３９〜４４の何れかに記載のコンピュータ読み取り可能な記録媒体。
（付記５４）放送時刻に応じた放送データの画像と再生されたハイライトシーンの画像とを１つの表示画面に同時に表示する前記プログラムを記録した付記４２記載のコンピュータ読み取り可能な記録媒体。
（付記５５）前記放送データの画像の表示領域及び前記ハイライトシーンの画像の表示領域の前記表示画面に対するサイズ又は表示位置をＣＭの放送が終了した場合に変更する前記プログラムを記録した付記５４記載のコンピュータ読み取り可能な記録媒体。
（付記５６）前記記憶装置が単数又は複数のハイライトシーンを記憶し、ＣＭの放送が開始された場合に、ハイライトシーンを選択するためのインデックスを提供する前記プログラムを記録した付記３９，４１，４３，４４の何れかに記載のコンピュータ読み取り可能な記録媒体。
（付記５７）或る番組が終了してから次の番組が開始するまでの間に、ハイライトシーン，または、或る番組の複数のハイライトシーンからなるダイジェストを再生する前記プログラムを記録した付記３９〜４４の何れかに記載のコンピュータ読み取り可能な記録媒体。
【０２７１】
【発明の効果】
本発明による放送受信機，放送制御方法，コンピュータプログラムを記録した記録媒体，及びコンピュータプログラムによれば、ザッピングの必要がないので、番組中のＣＭ放送時間帯でも番組に対する関心を失うことを防止することができる。
【図面の簡単な説明】
【図１】本発明による放送受信機として機能するコンピュータのハードウェア構成図
【図２】第１実施形態における放送受信機の機能ブロック図
【図３】第１実施形態におけるハイライトインデックス記憶部の説明図
【図４】第１実施形態におけるＣＭインデックス記憶部の説明図
【図５】第１実施形態における放送受信機の動作を示すフローチャート
【図６】第１実施形態におけるハイライト分析処理を示すフローチャート
【図７】第１実施形態におけるＣＭ開始インデックス格納処理及びＣＭ終了インデックス格納処理を示すフローチャート
【図８】第１実施形態におけるハイライト選択処理を示すフローチャート
【図９】第１実施形態におけるバッファディスクに対する書き込みアドレスと読み出しアドレスとの関係を示す図
【図１０】第２実施形態における放送受信機の機能ブロック図
【図１１】第２実施形態におけるハイライト分析処理を示すフローチャート
【図１２】第３実施形態における放送受信機の機能ブロック図
【図１３】第３実施形態における入力デバイス(リモコン)の説明図
【図１４】第３実施形態におけるハイライト分析処理を示すフローチャート
【図１５】第４実施形態における放送受信機の動作を示すフローチャート
【図１６】第４実施形態におけるバッファディスクに対する書き込みアドレスと読み出しアドレスとの関係を示す図
【図１７】第５実施形態におけるバッファディスクに対する書き込みアドレスと読み出しアドレスとの関係を示す図
【図１８】第６実施形態におけるバッファディスクに対する書き込みアドレスと読み出しアドレスとの関係を示す図
【図１９】第７実施形態におけるバッファディスクに対する書き込みアドレスと読み出しアドレスとの関係を示す図
【図２０】第８実施形態におけるハイライトインデックス記憶部の説明図
【図２１】第８実施形態におけるバッファディスクに対する書き込みアドレスと読み出しアドレスとの関係を示す図
【図２２】第９実施形態におけるバッファディスクに対する書き込みアドレスと読み出しアドレスとの関係を示す図
【図２３】第１０実施形態における放送受信機の機能ブロック図
【図２４】第１０実施形態における放送受信機の動作を示すフローチャート
【図２５】第１１実施形態における放送受信機の機能ブロック図
【図２６】第１２実施形態における放送受信機の機能ブロック図
【図２７】第１２実施形態におけるハイライトインデックス記憶部の説明図
【図２８】第１２実施形態におけるユーザ嗜好データベースを示す説明図
【図２９】第１３実施形態における放送受信機の機能ブロック図
【図３０】第１３実施形態における放送受信機の動作を示すフローチャート
【図３１】第１３実施形態の画面表示イメージの例を示す図
【図３２】第１４実施形態における放送受信機の動作を示すフローチャート
【図３３】第１４実施形態の画面表示イメージの例を示す図
【図３４】第１５実施形態における放送受信機の機能ブロック図
【図３５】第１５実施形態における放送受信機の動作を示すフローチャート
【図３６】第１５実施形態の画面表示イメージの例を示す図
【図３７】第１６実施形態におけるバッファディスクに対する書き込みアドレスと読み出しアドレスとの関係を示す図
【図３８】タイムシフト視聴時のバッファディスクに対する書き込みアドレス及び読み出しアドレスと再生時間との関係を示す図
【符号の説明】
１  コンピュータ
２  ＣＰＵ
３  ＲＯＭ
４  ＲＡＭ
５  ＨＤ
６  ＦＤＤ
７  ＣＤ−ＲＯＭドライブ
８  ディスプレイ制御装置
８ａ,８ｂ,８ｃ  デコーダ
９  通信制御装置
１０,１１,１２  インターフェイス回路
１３  ＦＤ
１４  ＣＤ−ＲＯＭ
１５  ディスプレイ装置(モニタ及びスピーカ含む)
１６  キーボード
１７  マウス
１８  チューナ
１９  受信アンテナ
２０  テレビ放送受信機
２１  バッファディスク
２２  ハイライトシーン分析部
２３  ＣＭ開始検知部
２４  ＣＭ終了検知部
２５  ハイライトインデックス記憶部
２６  ＣＭインデックス記憶部
２７  再生マネジメント部
２８,４５  スイッチ
３１,３７,４２  入力デバイス
３２  リモートコントローラ
３３  指定ボタン
３５  区分的ハイライトシーン作成部
３６  区分的ハイライトシーン分類部
３８  ユーザ嗜好登録部
３９  ユーザ嗜好データベース
４１  複数画面表示部
４３  ハイライトシーン指示部
４４  インデックス画面表示部
【図１】
0004208434.tif 000002
【図２】
0004208434.tif 000003
【図３】
0004208434.tif 000004
【図４】
0004208434.tif 000005
【図５】
0004208434.tif 000006
【図６】
0004208434.tif 000007
【図７】
0004208434.tif 000008
【図８】
0004208434.tif 000009
【図９】
0004208434.tif 000010
【図１０】
0004208434.tif 000011
【図１１】
0004208434.tif 000012
【図１２】
0004208434.tif 000013
【図１３】
0004208434.tif 000014
【図１４】
0004208434.tif 000015
【図１５】
0004208434.tif 000016
【図１６】
0004208434.tif 000017
【図１７】
0004208434.tif 000018
【図１８】
0004208434.tif 000019
【図１９】
0004208434.tif 000020
【図２０】
0004208434.tif 000021
【図２１】
0004208434.tif 000022
【図２２】
0004208434.tif 000023
【図２３】
0004208434.tif 000024
【図２４】
0004208434.tif 000025
【図２５】
0004208434.tif 000026
【図２６】
0004208434.tif 000027
【図２７】
0004208434.tif 000028
【図２８】
0004208434.tif 000029
【図２９】
0004208434.tif 000030
【図３０】
0004208434.tif 000031
【図３１】
0004208434.tif 000032
【図３２】
0004208434.tif 000033
【図３３】
0004208434.tif 000034
【図３４】
0004208434.tif 000035
【図３５】
0004208434.tif 000036
【図３６】
0004208434.tif 000037
【図３７】
0004208434.tif 000038
【図３８】
0004208434.tif 000039